(57)【要約】  一態様では、超音波ホーンは、近位フランジ（２１０）と、第１の直径を有し、近位フランジの遠位に配置された第１の円筒部（２２０）と、第２の直径及び遠位端を含む第２の円筒部（２３０）であって、第２の円筒部が、第１の円筒部の遠位の位置にあり、第２の直径が前記第１の直径よりも小さい、第２の円筒部と、第１の円筒部と第２の円筒部との間に配設されたテーパ部（２４２）と、フランジと第２の円筒部の遠位端との間の位置において、ホーンの周りに配設された円筒体（２６０）と、を含む。別の態様では、超音波システムは、エンドベルと、上述の超音波ホーンと、エンドベルと超音波ホーンとの間に配設されたトランスデューサ部と、トランスデューサ部を作動させるための電気信号を供給する超音波電源と、を含む。
2019535440.tif 000002
【特許請求の範囲】
【請求項１】
超音波ホーンであって、
近位フランジと、
第１の直径を有し、前記近位フランジの遠位に配置された第１の円筒部と、
第２の直径及び遠位端を含む第２の円筒部であって、前記第２の円筒部が、前記第１の円筒部の遠位の位置にあり、前記第２の直径が前記第１の直径よりも小さい、第２の円筒部と、
前記第１の円筒部と前記第２の円筒部との間に配設されたテーパ部と、
前記フランジと前記第２の円筒部の前記遠位端との間の位置において、前記ホーンの周りに配設された円筒体と、
を含む、超音波ホーン。
【請求項２】
前記円筒体が、前記第１の円筒部において前記ホーンの周りに配設されている、請求項１に記載の超音波ホーン。
【請求項３】
前記円筒体が、前記第１の円筒部の遠位部分において前記ホーンの周りに配設されている、請求項２に記載の超音波ホーン。
【請求項４】
前記円筒体が、前記テーパ部において前記ホーンの周りに配設されている、請求項１に記載の超音波ホーン。
【請求項５】
前記円筒体が、前記第２の円筒部において前記ホーンの周りに配設されている、請求項１に記載の超音波ホーン。
【請求項６】
前記円筒体が、前記第２の円筒部の近位部分において前記ホーンの周りに配設されている、請求項５に記載の超音波ホーン。
【請求項７】
前記テーパ部が、第１の曲率半径を有する第１のテーパ部と、第２の曲率半径を有する第２のテーパ部とを含む、請求項１に記載の超音波ホーン。
【請求項８】
前記第１の曲率半径が、前記第２の曲率半径と等しい、請求項７に記載の超音波ホーン。
【請求項９】
前記第１の曲率半径が、前記第２の曲率半径と異なる、請求項７に記載の超音波ホーン。
【請求項１０】
前記テーパ部が、前記第１のテーパ部と前記第２のテーパ部との間の位置に配設された平坦部を更に含む、請求項７に記載の超音波ホーン。
【請求項１１】
前記円筒体が、前記第１のテーパ部と前記第２のテーパ部との間の位置に配設されている、請求項７に記載の超音波ホーン。
【請求項１２】
前記フランジと前記第２の円筒部の前記遠位端との間の位置において、前記ホーンの周りに配設された第２の円筒体を更に含む、請求項１に記載の超音波ホーン。
【請求項１３】
超音波システムであって、
エンドベルと、
超音波ホーンであって、
近位フランジと、
第１の直径を有し、前記近位フランジの遠位に配置された第１の円筒部と、
第２の直径及び遠位端を含む第２の円筒部であって、前記第２の円筒部が、前記第１の円筒部の遠位の位置にあり、前記第２の直径が前記第１の直径よりも小さい、第２の円筒部と、
前記第１の円筒部と前記第２の円筒部との間に配設されたテーパ部と、
前記フランジと前記第２の円筒部の前記遠位端との間の位置において、前記ホーンの周りに配設された円筒体と、
を含む、超音波ホーンと、
前記エンドベルと前記超音波ホーンとの間に配設されたトランスデューサ部と、
前記トランスデューサ部を作動させるために、所定の周波数成分を有する電気信号を供給するように構成された超音波電源と、
を含む、超音波システム。
【請求項１４】
前記円筒体が、前記超音波システムの電気的特性を最適化するように構成された位置において、前記ホーンの周りに配設されている、請求項１３に記載の超音波システム。
【請求項１５】
前記円筒体が、前記電気信号に対する前記トランスデューサ部のインピーダンスを最小化するように構成された位置において、前記ホーンの周りに配設されている、請求項１４に記載の超音波システム。
【請求項１６】
前記円筒体が、前記電気信号に対する前記トランスデューサ部の位相余裕を最大化するように構成された位置において、前記ホーンの周りに配設されている、請求項１４に記載の超音波システム。
【請求項１７】
前記円筒体が、前記超音波システムの機械的特性を最適化するように構成された位置において、前記ホーンの周りに配設されている、請求項１３に記載の超音波システム。
【請求項１８】
前記円筒体が、前記電気信号による前記トランスデューサ部の作動時に前記第２の円筒部の前記遠位端の変位を最大化するように構成された位置において、前記ホーンの周りに配設されている、請求項１７に記載の超音波システム。
【請求項１９】
前記円筒体が、前記電気信号による前記トランスデューサ部の作動時に前記第２の円筒部の前記遠位端の変位と前記トランスデューサ部の変位との比を最大化するように構成された位置において、前記ホーンの周りに配設されている、請求項１７に記載の超音波システム。
【発明の詳細な説明】
【背景技術】
【０００１】
本開示は、一般に、超音波手術器具に関し、より詳細には、超音波ブレードを駆動する超音波トランスデューサに関する。中空コア器具及び中実コア器具の両方を含めた超音波器具が、多くの医学的状態の安全かつ有効な処置のために使用されている。超音波器具、特に中実コアの超音波器具は、超音波周波数で外科用エンドエフェクタに伝達される機械的振動形態のエネルギーを使用して、有機組織を切断及び／又は凝固するのに使用され得るため、有利である。超音波振動は、適切なエンドエフェクタを使用して適切なエネルギーレベルで有機組織に伝達されるときには、組織を切断し、解離し、持ち上げ、若しくは焼灼し、又は筋肉組織を骨から引き離すために使用することができる。中実コアテクノロジーを利用する超音波器具は、超音波トランスデューサから導波管を通って外科用エンドエフェクタに伝達され得る超音波エネルギー量に起因して特に有利である。このような器具は、観血的処置、又は内視鏡的若しくは腹腔鏡的処置などの低侵襲処置に使用することができ、エンドエフェクタは、手術部位に到達するようにトロカール内に通される。
【０００２】
そのような器具のエンドエフェクタ（例えば、切断ブレード）を超音波周波数で始動又は励磁（exciting）させると、隣接組織内に局所的な熱を発生する長手方向の振動運動が誘発される。超音波器具の性質ゆえに、超音波によって作動される特定のエンドエフェクタは、例えば、切断及び凝固を含めた多数の機能を果たすように設計することができる。超音波振動は、例えば、トランスデューサを電気で励磁することによって、外科用エンドエフェクタに引き起こされる。トランスデューサは、器具ハンドピース内１つ又は２つ以上の圧電又は磁気歪素子から構成され得る。トランスデューサによって生成された振動は、トランスデューサから外科用エンドエフェクタまで延在する超音波導波管を介して、外科用エンドエフェクタに伝達される。導波路及びエンドエフェクタは、トランスデューサと同一周波数で共振するように設計されている。したがって、エンドエフェクタがトランスデューサに取り付けられると、全システムの周波数はトランスデューサそれ自体と同一の周波数になる。
【０００３】
エンドエフェクタの先端における長手方向の超音波振動の振幅ｄは、共振周波数では次に与えられるように単一シヌソイドとして挙動する。
ｄ＝Ａｓｉｎ（ωｔ）
式中、
ω＝周期的振動数ｆの２π倍に等しい角振動数、及び
Ａ＝片振幅
エンドエフェクタ先端の長手方向の振動幅（excursion）は、両振幅（peak-to-peak、p-t-p）として定義され、正弦波の振幅のちょうど２倍又は２Ａである。多くの場合、エンドエフェクタはブレードを含み、このブレードは、長手方向の振動幅により組織を切断及び／又は凝固することができる。米国特許第６，２８３，９８１号（２００１年９月４日発行、発明の名称「ＭＥＴＨＯＤ  ＯＦ  ＢＡＬＡＮＣＩＮＧ  ＡＳＹＭＭＥＴＲＩＣ  ＵＬＴＲＡＳＯＮＩＣ  ＳＵＲＧＩＣＡＬ  ＢＬＡＤＥＳ」）、米国特許第６，３０９，４００号（２００１年１０月３０日発行、発明の名称「ＣＵＲＶＥＤ  ＵＬＴＲＡＳＯＮＩＣ  ＢＬＡＤＥ  ＨＡＶＩＮＧ  Ａ  ＴＲＡＰＥＺＯＩＤＡＬ  ＣＲＯＳＳ  ＳＥＣＴＩＯＮ」）、及び米国特許第６，４３６，１１５号（２００２年８月２０日発行、発明の名称「ＢＡＬＡＮＣＥＤ  ＵＬＴＲＡＳＯＮＩＣ  ＢＬＡＤＥ  ＩＮＣＬＵＤＩＮＧ  Ａ  ＰＬＵＲＡＬＩＴＹ  ＯＦ  ＢＡＬＡＮＣＥ  ＡＳＹＭＭＥＴＲＩＥＳ」）は、様々な超音波手術器具を開示しており、参照によりその全体の開示が本明細書に組み込まれる。
【発明の概要】
【発明が解決しようとする課題】
【０００４】
超音波手術器具の有効性は、エンドエフェクタ先端部の長手方向の偏位量に部分的に関連し得ると認識することができる。大きな長手方向可動域が可能なエンドエフェクタ先端部を有する超音波手術器具は、外科手術中に、より多くの作業を達成することができる。したがって、エンドエフェクタ先端部の潜在的可動域を最大化する超音波手術器具の構成要素を設計することが有用であり得る。更に、超音波手術器具トランスデューサに電力を供給するために使用されるエネルギー源によって生成される駆動周波数にいくらかの誤差が存在し得るため、周波数誤差に対するデバイスの許容量を高めることができる超音波手術器具のコンポーネントを設計することも有用であり得る。
【課題を解決するための手段】
【０００５】
一般的な一態様において、様々な態様は、外科用ツールの長手方向軸に沿って所定の周波数で振動を生成するように構成されたトランスデューサを含む超音波手術器具を対象とする。様々な態様において、外科用ツールは、長手方向軸に沿って延在し、かつトランスデューサに連結されている、超音波ブレードを含むことができる。様々な態様において、外科用ツールは、近位端及び遠位端を有する本体を含み、遠位端は、トランスデューサによって生成された振動によって長手方向軸に対して移動可能であり、近位端は、トランスデューサに機械的に連結されている。
【０００６】
一般的な一態様では、超音波手術器具は、近位フランジと、第１の直径を有し、近位フランジの遠位に配置された第１の円筒部と、第２の直径及び遠位端を含む第２の円筒部であって、第２の円筒部が、第１の円筒部の遠位の位置にあり、第２の直径が第１の直径よりも小さい、第２の円筒部と、第１円筒部と第２円筒部との間に配設されたテーパ部と、フランジと第２の円筒部の遠位端との間の位置において、ホーンの周りに配設された円筒体と、を含む、超音波ホーンを含むことができる。
【０００７】
１つの一般的な態様では、超音波システムは、エンドベルと、超音波ホーンであって、近位フランジと、第１の直径を有し、近位フランジの遠位に配置された第１の円筒部と、第２の直径及び遠位端を含む第２の円筒部であって、第２の円筒部が、第１の円筒部の遠位の位置にあり、第２の直径が第１の直径よりも小さい、第２の円筒部と、第１の円筒部と第２の円筒部との間に配設されたテーパ部と、フランジと第２の円筒部の遠位端との間の位置において、前記ホーンの周りに配設された円筒体と、を含む、超音波ホーンと、エンドベルと超音波ホーンとの間に配設されたトランスデューサ部と、トランスデューサ部を作動させるために、所定の周波数成分を有する電気信号を供給するように構成された超音波電源と、を含むことができる。
【図面の簡単な説明】
【０００８】
様々な態様の特徴が、添付された特許請求の範囲で詳細に説明される。ただし、機構、及び動作の方法の両方についての様々な態様は、それらの更なる目的及び利点と共に、以降の添付図面と併用しながら、以下の説明を参照することにより最もよく理解することができる。
【図１】超音波手術器具システムの一態様を示す図である。
【図２Ａ】超音波トランスデューサの態様を示す図である。
【図２Ｂ】超音波トランスデューサの態様を示す図である。
【図２Ｃ】超音波トランスデューサの態様を示す図である。
【図２Ｄ】超音波トランスデューサの態様を示す図である。
【図３】超音波トランスデューサの形状及び／又はジオメトリーが、超音波トランスデューサの部分の軸方向変位の振幅に及ぼす影響の態様を示す図である。
【図４】超音波トランスデューサの形状及び／又はジオメトリーが、超音波トランスデューサの部分の軸方向変位の振幅に及ぼす影響の態様を示す図である。
【図５】超音波トランスデューサの形状及び／又はジオメトリーが、超音波トランスデューサの部分の軸方向変位の振幅に及ぼす影響の態様を示す図である。
【図６】超音波トランスデューサの形状及び／又はジオメトリーが、超音波トランスデューサの部分の軸方向変位の振幅に及ぼす影響の態様を示す図である。
【図７】超音波トランスデューサの形状及び／又はジオメトリーが、超音波トランスデューサの部分の軸方向変位の振幅に及ぼす影響の態様を示す図である。
【図８】超音波トランスデューサホーンの態様の構成要素が、超音波トランスデューサの位相余裕、変位、及びインピーダンスに及ぼす影響を示すグラフである。
【図９】超音波トランスデューサホーンの態様の構成要素が、超音波トランスデューサの位相余裕、変位、及びインピーダンスに及ぼす影響を示すグラフである。
【図１０】超音波トランスデューサホーンの態様の構成要素が、超音波トランスデューサの位相余裕、変位、及びインピーダンスに及ぼす影響を示すグラフである。
【図１１】超音波トランスデューサホーンの態様の構成要素が、超音波トランスデューサの位相余裕、変位、及びインピーダンスに及ぼす影響を示すグラフである。
【図１２】超音波トランスデューサホーンの態様の構成要素が、超音波トランスデューサの位相余裕、変位、及びインピーダンスに及ぼす影響を示すグラフである。
【図１３】超音波トランスデューサホーンの態様の構成要素が、超音波トランスデューサの位相余裕、変位、及びインピーダンスに及ぼす影響を示すグラフである。
【図１４】超音波トランスデューサホーンの態様の構成要素が、超音波トランスデューサの位相余裕、変位、及びインピーダンスに及ぼす影響を示すグラフである。
【図１５】超音波トランスデューサホーンの態様の構成要素が、超音波トランスデューサの位相余裕、変位、及びインピーダンスに及ぼす影響を示すグラフである。
【図１６】超音波トランスデューサホーンの態様の構成要素が、超音波トランスデューサの位相余裕、変位、及びインピーダンスに及ぼす影響を示すグラフである。
【図１７】超音波トランスデューサホーンの一態様を示す図である。
【図１８】図１７に示す超音波トランスデューサホーンの態様のインピーダンス対周波数のグラフである。
【図１９】超音波トランスデューサホーンの第２の態様を示す図である。
【図２０】図１９に示す超音波トランスデューサホーンの態様のインピーダンス対周波数のグラフである。
【図２１】超音波トランスデューサホーンの第３の態様を示す図である。
【図２２】図２１に示す超音波トランスデューサホーンの態様のインピーダンス対周波数グラフである。
【発明を実施するための形態】
【０００９】
様々な態様を詳細に説明する前に、かかる態様は、それらの応用又は利用の際に、添付図面及び明細書に例示される部品の構造及び配置の詳細には限定されないことに留意すべきである。例示的な態様は、他の態様、変形形態、及び修正で実施されるか、又はそれらに組み込まれてもよく、様々な方法で実施又は実行されてもよい。例えば、以下に開示する手術器具は、単に例示のためのものであり、それらの範囲又は応用を限定することを意味しない。更に、特に指示されない限り、本明細書で用いられる用語及び表現は、読者の便宜のために例示的な態様を説明する目的で選択されており、それらの態様の範囲を限定するためのものではない。
【００１０】
以下に、本明細書で開示する装置及び方法の構造、機能、製造、及び使用の原理の全体的な理解が得られるように、特定の例示的な態様を説明する。これらの態様の１つ又は２つ以上の例が、添付の図面に例示されている。当業者であれば、本明細書に具体的に記載され、添付図面に例示される装置及び方法が、非限定的な例示的な態様であり、様々な態様の範囲が請求項によってのみ規定されることを理解するであろう。１つの例示的な態様に関連して例示又は説明される特徴は、他の態様の特徴と組み合わせることができる。このような修正及び変形形態は、「特許請求の範囲」内に含まれるものとする。
【００１１】
本明細書に記載された様々な態様は、一般に、超音波手術器具、及びそれと共に使用するためのブレードに関する。超音波手術器具及びブレードの例は、米国特許第５，３２２，０５５号、同第５，９５４，７３６号、同第６，３０９，４００号、同第６，２７８，２１８号、同第６，２８３，９８１号、同第６，３２５，８１１号、及び同第８，３１９，４００号に開示されており、それらの全体的な開示が、参照により本明細書に組み込まれる。
【００１２】
本明細書で使用するとき、用語「位相余裕」（ＰＭ）は、反共振周波数（ｆａ）と圧電トランスデューサの共振周波数（ｆｒ）との間の周波数の差である。１つの非限定的な例では、ｆｒは、圧電トランスデューサのインピーダンス対周波数のグラフのトラフにおける周波数として決定され得る。同様に、ｆａは、圧電トランスデューサのインピーダンス対周波数のグラフのピークにおける周波数として決定することができる。したがって、ＰＭは、圧電トランスデューサのｆａ−ｆｒに等しい。
【００１３】
本明細書で使用するとき、略称「ＯＤ」は、超音波トランスデューサの構成要素の外径である。より具体的には、ＯＤは、超音波トランスデューサの超音波ホーンに関連するリング又は円筒体の外径を指し得る。
【００１４】
様々な態様によれば、ブレードなどのエンドエフェクタを有する外科ツールを含む超音波器具は、それが、出血を制御しながら、皮質骨及び／又は組織を除去することが望ましい整形外科手技において、とりわけ、特別な利益であり得る。その切断特性及び凝固特性に起因して、超音波手術器具のブレードは、一般的な軟組織の切断及び凝固に有用であり得る。ある特定の状況では、様々な態様に従うブレードは、組織の切断及び止血封止、又は焼灼を同時に行うのに有用であり得る。ブレードは、真直ぐであっても又は曲がっていてもよく、開腹用途又は腹腔鏡用途のいずれにも有用であり得る。様々な態様に基づくブレードは、脊椎手術において、特に骨から筋肉を除去する際の後部からのアクセスの支援に、有用であり得る。
【００１５】
図１は、超音波システム１０の一態様を示す。超音波システム１０の一態様は、超音波トランスデューサ１４に連結された超音波信号発生器１２と、ハンドピースハウジング１６を含むハンドピースアセンブリ６０と、エンドエフェクタ５０と、を含む。「ランジュヴァンスタック」として知られている超音波トランスデューサ１４は、一般に、変換部１８と、第１の共振器又はエンドベル２０と、第２の共振器又はフォアベル２２と、補助構成要素と、を含む。様々な態様では、超音波トランスデューサ１４は、以下により詳細に説明するように、好ましくは、長さが１つのシステム半波長の整数倍（ｎλ／２）である。音響アセンブリ２４は、超音波トランスデューサ１４と、マウント２６と、速度トランスフォーマ２８と、表面３０と、を含むことができる。
【００１６】
本明細書では、用語「近位」及び「遠位」は、ハンドピースアセンブリ６０を握っている臨床医に対して使用されることが理解されよう。このため、エンドエフェクタ５０は、より近位側のハンドピースアセンブリ６０に対して遠位側にある。便宜上及び明瞭さのため、「上部」及び「下部」のような空間的用語もまた、本明細書では、ハンドピースアセンブリ６０を把持する臨床医に対して使用されることが更に理解されよう。しかしながら、手術器具は、多くの向き及び位置で使用されるものであり、これらの用語は、限定的かつ絶対的なものであることを意図するものではない。
【００１７】
エンドベル２０の遠位端は、変換部１８の近位端に接続され、フォアベル２２の近位端は、変換部１８の遠位端に接続されている。フォアベル２２及びエンドベル２０は、多くの変数によって決定される長さを有し、それらの変数には、変換部１８の厚さ、エンドベル２０及びフォアベル２２を製造するのに使用される材料の密度及び弾性率、並びに超音波トランスデューサ１４の共振周波数が含まれる。フォアベル２２は、速度トランスフォーマ２８の超音波振動の振幅を増幅するため、その近位端からその遠位端まで内向きにテーパ状であってもよく、あるいは、フォアベル２２は、増幅を有さなくてもよい。
【００１８】
図１を再度参照すると、エンドベル２０は、そこから延びるねじ付き部材を含むことができ、このねじ付き部材は、フォアベル２２のねじ山付き開口と螺合可能に係合するように構成することができる。様々な態様では、圧電素子３２などの圧電素子は、例えば、エンドベル２０及びフォアベル２２が一緒に組み立てられるとき、エンドベル２０とフォアベル２２との間で圧縮され得る。エンドベル２０とフォアベル２２との間の圧電素子３２の適切な圧縮は、圧電素子３２とフォアベル２２との間の良好な機械的結合を確保するために有用であり得ると認識することができる。良好な機械的結合は、電界によって圧電素子３２内で誘起された運動の、超音波システム１０の遠位構成要素への伝達を最適化することができる。いくつかの態様では、適切な圧縮は、変換部１８の製造中にフォアベル２２に適用されるトルク付与ツール（トルクレンチなど）の使用によって達成され得る。圧電素子３２は、例えば、ジルコン酸チタン酸鉛、メタニオブ酸鉛、チタン酸鉛、及び／又は、例えば任意の好適な圧電性結晶又はセラミック材料などの任意の好適な材料から作製されてもよい。
【００１９】
様々な態様では、以下に更に詳細に考察されるように、トランスデューサ１４は、正電極３４及び負電極３６などの電極を更に含むことができ、例えば、これらの電極は、１つ以上の圧電素子３２の両端間で電位を生成するように構成され得る。正電極３４、負電極３６、及び圧電素子３２のそれぞれは、中心を通る穴を含むことができ、この穴は、エンドベル２０のねじ付き部材を受容するように構成され得る。様々な態様では、正電極３４及び負電極３６は、ワイヤ３８及び４０とそれぞれ電気的に連結され、ワイヤ３８及び４０は、ケーブル４２内に入れられ、超音波システム１０の超音波信号発生器１２と電気的に接続可能とすることができる。
【００２０】
様々な態様では、音響アセンブリ２４の超音波トランスデューサ１４は、超音波信号発生器１２からの電気信号を機械的エネルギーに変換し、この機械的エネルギーは、超音波周波数において、超音波トランスデューサ２４及びエンドエフェクタ５０の主に長手方向の振動運動をもたらす。好適な発生器は、Ｅｔｈｉｃｏｎ  Ｅｎｄｏ−Ｓｕｒｇｅｒｙ，Ｉｎｃ．（Ｃｉｎｃｉｎｎａｔｉ，Ｏｈｉｏ）から、モデル番号ＧＥＮ１１として入手可能である。音響アセンブリ２４が通電されると、振動運動定在波が、音響アセンブリ２４を通して発生する。好適な振動周波数範囲は、約２０Ｈｚ〜１２０ｋＨｚとし、適切な振動周波数範囲は、約３０ｋＨｚ〜７０ｋＨｚとし、動作振動周波数の１つの例は、約５０ｋＨｚとすることができる。
【００２１】
音響アセンブリ２４に沿った任意の点での振動運動の振幅は、音響アセンブリ２４に沿った振動運動が測定される位置に依存し得る。振動運動定在波において、最小又はゼロの交差は、一般的に波節（即ち、運動が通常は最小の場所）と呼ばれ、定在波において、最大絶対値（absolute value maximum）又はピークは、一般的に波腹（即ち、運動が通常は最大の場所）と呼ばれる。波腹点とそれに最も近い波節点との間の距離は４分の１波長（λ／４）である。
【００２２】
ワイヤ３８及び４０は、超音波信号発生器１２から正電極３４及び負電極３６に電気信号を送信する。圧電素子３２は、例えば、音響アセンブリ２４において音響定在波を生成するためのフットスイッチ４４に応答して、超音波信号発生器１２から供給される電気信号によって通電される。電気信号により、結果的に材料内の大きな圧縮力となる繰り返し小変位の形態で、圧電素子３２に擾乱が生じる。繰り返される小さな変位は、圧電素子３２を電圧勾配の軸に沿って連続的に膨張及び収縮させ、超音波エネルギーの長手方向の波を生成する。
【００２３】
様々な態様では、トランスデューサ１４により生成された超音波エネルギーは、超音波伝達導波管４６を介してエンドエフェクタ５０に音響アセンブリ２４を通って伝達され得る。音響アセンブリ２４がエンドエフェクタ５０にエネルギーを供給するために、音響アセンブリ２４の構成要素が、エンドエフェクタ５０に音響的に連結される。例えば、超音波トランスデューサ１４の遠位端は、表面３０において超音波伝達導波管４６の近位端に、スタッド４８のようなねじ接続により音響的に連結されてもよい。
【００２４】
音響アセンブリ２４の構成要素は、いずれのアセンブリの長さも１つの半波長の整数倍（ｎλ／２）となるように音響的に調整され得、式中、波長λは、音響アセンブリ２４の予め選択された波長、又は動作する長手方向振動駆動周波数ｆｄであり、ｎは、任意の正の整数である。また、音響アセンブリ２４は、音響素子の任意の好適な配列を組み込み得ることも想到される。
【００２５】
超音波エンドエフェクタ５０は、１つのシステム半波長（λ／２）の整数倍に実質的に等しい長さを有することができる。超音波エンドエフェクタ５０の遠位端５２は、遠位端の最大又は少なくともほぼ最大の長手方向可動域を提供するために、波腹又は少なくともその近くに配設されてもよい。トランスデューサアセンブリが通電されるとき、様々な態様では、エンドエフェクタ５０の遠位端５２は、例えば、所定の振動周波数において、約１０〜５００マイクロメートルの全振幅の範囲、及び好ましくは約３０〜１５０マイクロメートルの範囲で動くように構成されてもよい。
【００２６】
上記に概略されているように、超音波エンドエフェクタ５０は、超音波伝達導波管４６に連結されてもよい。様々な態様では、図示されるような超音波エンドエフェクタ５０及び超音波伝達ガイド４６は、例えば、Ｔｉ６Ａｌ４Ｖ（アルミニウム及びバナジウムを含むチタン合金）、アルミニウム、ステンレス鋼、及び／又は任意の他の好適な材料などの、超音波エネルギーの伝達に適した材料による単一ユニット構造として形成される。あるいは、超音波エンドエフェクタ５０は、超音波伝達導波管４６から分離可能（及び異なる組成物のもの）であってもよく、例えば、鋲、溶接、接着剤、急速継手、又は他の適切な既知の方法により連結されてもよい。超音波伝達導波管４６は、例えば、１つのシステム半波長（λ／２）の整数倍に実質的に等しい長さを有してもよい。超音波伝送導波路４６は、好ましくは、例えば、チタン合金（即ち、Ｔｉ６Ａｌ４Ｖ）又はアルミニウム合金など、超音波エネルギーを効率的に伝搬する材料から構成された中実コア軸から作製されてもよい。
【００２７】
図１に示す態様では、超音波伝達導波管４６は、複数の波節又は少なくともその近くに配置される、複数の安定化シリコーンリング又は適合支持体５６を含む。シリコーンリング５６は、望ましくない振動を減衰し、かつ導波管４６を少なくとも部分的に囲むシース５８から超音波エネルギーを隔離することによって、超音波エネルギーがエンドエフェクタ５０の遠位端５２まで長手方向に最大効率で確実に流すことができる。
【００２８】
図１に示すように、シース５８は、ハンドピースアセンブリ６０の遠位端に連結され得る。シース５８は、一般的に、アダプタ又はノーズコーン６２と、細長管状部材６４と、を含む。管状部材６４は、アダプタ６２に取り付けられ、及び／又はアダプタから延在し、アダプタを長手方向に延びる開口部を有する。様々な態様では、シース５８は、ハウジング１６の遠位端に螺合されてもよく、又はスナップ嵌めされてもよい。少なくとも一態様では、超音波伝達導波管４６は、管状部材６４の開口部を通って延在し、シリコーンリング５６は、開口部の側壁と接触し、内部で超音波伝達導波管４６を隔離することができる。様々な態様では、シース５８のアダプタ６２は、例えば、Ｕｌｔｅｍ（登録商標）から構成されるのが好ましく、管状部材６４は、例えば、ステンレス鋼から製造される。少なくとも１つの態様では、超音波伝達導波管４６は、例えば、その超音波伝達導波管を外部接触から分離するために、これを取り囲む高分子材料を有してもよい。
【００２９】
上述のように、電圧源、又は電力源は、トランスデューサの圧電素子の１つ以上と動作可能に連結することができ、圧電素子のそれぞれに印加される電圧ポテンシャルによって、圧電素子を長手方向に膨張及び収縮、又は振動させることができる。また、上述のように、電位は周期的であり得、様々な態様では、電位は、例えば、トランスデューサ１４、導波管４６、及びエンドエフェクタ５０を含む構成要素のシステムの共振周波数と同じか、又はほぼ同じ周波数で繰り返すことができる。しかしながら、様々な態様では、トランスデューサ内のある特定の圧電素子が、トランスデューサ内の他の圧電素子よりも、長手方向振動の定在波に対してより大きく寄与する場合がある。より詳細には、長手方向の変位を制御、又は制限することができる長手方向のひずみプロファイルが、トランスデューサ内で生じることができ、そうして、特にシステムが共振周波数で又はその近くで振動する場合に、圧電素子の一部は、振動の定在波に寄与することができる。
【００３０】
上述のように、電圧源、又は電力源は、トランスデューサの圧電素子の１つ以上と動作可能に連結することができ、圧電素子のそれぞれに印加される電圧ポテンシャルによって、圧電素子を長手方向に膨張及び収縮、又は振動させることができる。また、上述のように、電位は周期的であり得、様々な態様では、電位は、例えば、トランスデューサ１４、導波管４６、及びエンドエフェクタ５０を含む構成要素のシステムの共振周波数と同じか、又はほぼ同じ周波数で繰り返すことができる。しかしながら、様々な態様では、トランスデューサ内のある特定の圧電素子が、トランスデューサ内の他の圧電素子よりも、長手方向振動の定在波に対してより大きく寄与する場合がある。より詳細には、長手方向の変位を制御、又は制限することができる長手方向のひずみプロファイルが、トランスデューサ内で生じ得、そうして、特にシステムが共振周波数で又はその近くで振動する場合に、圧電素子の一部は、振動の定在波に寄与することができる。
【００３１】
図１の超音波手術器具システム１０を参照すると、複数の構成要素が、導波管４６を通る圧電素子３２からの機械的振動をエンドエフェクタ５０に連結させる必要があり得ると理解することができる。音響アセンブリ２４を含む追加の素子により、追加の製造コスト、製造工程、及びシステムに対する複雑さが加わる可能性がある。図１に例示及び上述された同等の装置よりも、構成要素、製造工程、及びコストが少なくて済み得る超音波医療装置の態様が、以下に開示されている。
【００３２】
再び図１を参照すると、圧電素子３２は、「ランジュバン」スタック中に構成され、その中で、圧電素子３２及びそれらの活性化電極３４及び３６（共に、トランスデューサ１４）が交互配置されている。起動された圧電素子３２の機械的振動は、トランスデューサ１４の長手方向軸に沿って伝搬し、音響アセンブリ２４を介して導波管４６の端部に連結されている。超音波手術器具システム１０で使用され得る圧電素子３２の例としては、例えば、ジルコン酸チタン酸鉛、メタニオブ酸鉛、又はチタン酸鉛を含むセラミック圧電素子を挙げることができるが、これらに限定されない。
【００３３】
超音波トランスデューサ１４の効率は、圧電素子３２を所定の周波数で駆動するために使用される電力量を最大化することと、規定の作動周波数における所定量の電力で圧電素子３２の物理的変位量を最大化することとに関連付けられ得る。
【００３４】
電力は、超音波トランスデューサ１４のインピーダンスが最小である波節又は共振周波数（ｆｒ）の周波数又はその近くの周波数で圧電素子３２を動作させることによって最大化され得る。超音波トランスデューサ１４のインピーダンスが最大である波腹又は反共振周波数（ｆａ）の周波数又はその近くの周波数で圧電素子３２を動作させるために、最小量の電力が必要とされ得る。いくつかの超音波トランスデューサでは、位相余裕（ｆａ−ｆｒ）は、波節共振周波数に対して非常に小さくてもよく、例えば約０．６％であってもよい。いくつかの誤差又は偏差が、超音波信号発生器１２によって供給される信号の周波数で発生し得ると認識することができる。そのような周波数誤差は、共振周波数（最小インピーダンス）から逸脱し、反共振周波数（最大インピーダンス）に近づく超音波信号をもたらし得る。したがって、超音波信号発生器１２における周波数誤差の可能な影響を最小限に抑えるために、最適化された超音波トランスデューサ１４は、最大位相余裕を有するように設計されてもよい。
【００３５】
圧電誘導超音波振動の振幅は、超音波トランスデューサの形状、ジオメトリー、及び材料密度によって増幅され得ることも認識される。したがって、超音波トランスデューサの形状及び／又はジオメトリーを変更することによって、トランスデューサは、それに取り付けられたエンドエフェクタの変位を最大化するように作製され得る。
【００３６】
以下に開示されるのは、インピーダンス特性を最適化し、超音波トランスデューサの変位を最大化し得る超音波トランスデューサのフォアベル又はホーンの例である。
【００３７】
図２Ａは、超音波トランスデューサ１４の一般的な態様を示す。図１に関して上述したように、超音波トランスデューサ１４は、エンドベル２０と、フォアベル又はホーン２２と、両者間の変換部１８と、を含む。変換部１８は、１つ以上の圧電素子３２を含み得る。超音波トランスデューサ１４は、例えば、圧電素子３２をエンドベル２０のねじ付き軸部に配置し、エンドベル２０のねじ付き軸部をフォアベル又はホーン２２の嵌合ねじ付き部分にねじ込むことによって組み立てられてもよい。
【００３８】
フォアベル又はホーン２２は、多数の構成要素を含んでもよい。近位フランジ２１０を使用して圧電素子３２を固定することができる。第１の円筒部２２０は、第１の直径を有してもよく、近位フランジ２１０の遠位に配置されてもよい。第２の円筒部２３０は、第２の直径及び遠位端を有してもよい。第２の円筒部２３０は、第１の円筒部２１０の遠位の位置に配置されてもよい。いくつかの非限定的な例では、第２の直径は、第１の直径よりも小さくてもよい。フォアベル又はホーン２２はまた、第１の円筒部２２０と第２の円筒部２３０との間に配設されたテーパ部２４０を含んでもよい。いくつかの非限定的な例では、テーパ部２４０は、複数のテーパ部２４２、２４４を含んでもよい。複数のテーパ部２４２、２４４はそれぞれ、曲率半径を有してもよい。いくつかの非限定的な例では、複数のテーパ部２４２、２４４の曲率半径はそれぞれ同じであってもよい。他の非限定的な実施例では、複数のテーパ部２４２、２４４のうちの１つの曲率半径は、異なるテーパ部の曲率半径と異なってもよい。図２には２つのテーパ部２４２、２４４のみが示されているが、テーパ部２４０は、３つ、４つ、又はそれ以上の個別のテーパ部を含んでもよいことが認識され得る。いくつかの非限定的な実施例では、テーパ部は、例えば、第１のテーパ部２４２と第２のテーパ部２４４との間の２つの連続するテーパ部間の位置に配設された平坦部を更に備えてもよい。
【００３９】
更に、フォアベル又はホーン２２は、フランジ２１０と第２の円筒部２３０の遠位端との間の位置に、ホーン２２の周りに配設された円筒体２６０を含んでもよい。円筒体２６０は、リング又は円筒の形態をとってもよい。リング形状は、円板状リング又は複数の平坦又は湾曲した縁部を有する多面体リングであってもよいことが理解され得る。いくつかの非限定的な例では、円筒体２６０は、第１の円筒部２２０においてホーンの周りに配設されてもよい。例えば、円筒体２６０は、第１の円筒部２２０の遠位部分においてホーン２２の周りに配設されてもよい。別の非限定的な例では、円筒体２６０は、テーパ部２４０においてホーン２２の周りに配設されてもよい。複数のテーパ部２４２、２４４を含むホーン２２では、円筒体２６０は、例えば、第１のテーパ部２４２と第２のテーパ部２４４との間の連続するテーパ部の間の位置に配設されてもよい。いくつかの非限定的な例では、円筒体２６０は、第２の円筒部２３０においてホーン２２の周りに配設されてもよい。例えば、円筒体２６０は、第２の円筒部２３０の近位部分においてホーン２２の周りに配設されてもよい。単一の円筒体２６０のみが上記に開示され、例えば図２に例示されているが、第２の円筒体などの任意の数の円筒体が、フランジ２１０と第２の円筒部２３０の遠位端との間のホーン２２の周りに配設されてもよいことが理解され得る。
【００４０】
図２Ｂ〜２Ｄは、ホーンの異なる実施例を示し、特に第１のテーパ部２４２ａ〜ｃの違いを示す。図２Ａは、オーバーレイとして示される第１のテーパ部２４２のいくつかの構成を示す。図２Ｂ〜図２Ｄは、図２Ａに示す構成のそれぞれの別個の図である。
【００４１】
上述のように、超音波ホーンの形状／サイズ及びジオメトリーは、超音波トランスデューサの変位、及びそれに取り付けられた任意のエンドエフェクタの変位におけるゲインを誘起することができる。図３〜７は、グラフ上に重ねられた様々な超音波ホーンの例であり、ホーンが取り付けられる超音波トランスデューサの構成要素の軸方向変位（量及び位相）のシミュレーションを示す。以下の表１は、図３〜７に示すようなシミュレーション条件及びいくつかの例示的な結果に加えて、超音波ホーンの実施例の説明を開示する。
【００４２】
【表１】
2019535440.tif 000003
【００４３】
上述のように、ＰＭ（位相余裕）は、共振防止周波数（ｆａ）と反共振周波数（ｆｒ）との間の周波数の差として定義される。圧電ディスクの圧電結合係数（Ｋｐ）は、セラミック素子が分極される方向に平行な電界と、偏光方向に対して半径方向の振動を生じる機械的作用との間の結合を表す。近似値として、圧電ディスクのＫｐは、以下のように記載することができる。
【００４４】
【数１】
2019535440.tif 000004
式中、ｆａは反共振周波数であり、ｆｒは共振周波数である。位相余裕（ＰＭ＝ｆａ−ｆｒ）が反共振周波数に対して小さい場合、累乗根における第２の項は第１の項に対して小さくなり、位相余裕と結合係数との間の関係は、次のように表され得る。
【００４５】
【数２】
2019535440.tif 000005
【００４６】
表１の変位は、超音波トランスデューサの端部における軸方向変位に対応する。表１のインピーダンスは、シミュレーションが、表示されるような共振周波数Ｖｐ−ｐ及び電流で実行されたときの超音波トランスデューサのインピーダンスである。機械的品質係数Ｑｍは、以下のようにインピーダンス対周波数グラフから計算することができる。
【００４７】
【数３】
2019535440.tif 000006
ここで、２Δｆは、ｆｒにおける最小インピーダンス値の
【００４８】
【数４】
2019535440.tif 000007
倍の全幅である。例示的なインピーダンス対周波数グラフを図１７〜１９に示す。
【００４９】
図３は、超音波トランスデューサ５００の一部の軸方向変位の量を示す変位量グラフ３００と、超音波トランスデューサ５００の一部の軸方向変位の位相を示す変位位相グラフ４００と、に重ねられた超音波トランスデューサ５００の物理的表示を示す。図３に示されるグラフの横座標（トランスデューサの尾部５１７からの距離（ｍｍ））は、超音波トランスデューサ５００、変位量グラフ３００、及び変位位相グラフ４００の表現に等しく適用される。グラフの左縦座標は、軸方向変位の量（μｍ）に関連し、グラフの右縦座標は、軸方向変位の位相（度）に関連する。変位量グラフ３００及び変位位相グラフ４００は、表１に示すように、共振周波数５０，６７８ＨｚにおけるＶｐ−ｐ（２７Ｖ）及び電流（１７５．８ｍＡ）の入力パラメータを有する超音波トランスデューサ５００のジオメトリーのシミュレーションから導出された。
【００５０】
超音波トランスデューサ５００は、尾部５１７と、変換部５１８と、超音波ホーンと、を含む。変位量グラフ３００及び変位位相グラフ４００に示されるシミュレーションの目的のために、試験負荷５５０部分は、超音波ホーンの遠位端５３５で超音波ホーンに取り付けられる。試験負荷５５０は、圧電トランスデューサの起動中の超音波トランスデューサ５００の挙動の導波管及びエンドエフェクタに及ぼす効果をシミュレートするために使用され得る。変換部５１８は、１つ以上の圧電トランスデューサを含み、それに取り付けられた構成要素を機械的に作動させることができる。超音波ホーンは、フランジ５１０、第１の円筒部５２０、テーパ部５４０、及び第２の円筒部５３０を含む。超音波ホーンは、フランジ５１０から遠位端５３５まで延在する。テーパ部５４０は、第１のテーパ部５４２と、第２のテーパ部５４４と、第１のテーパ部５４２と第２のテーパ部５４４との間に配設された平坦部５４６と、を更に不含む。
【００５１】
図３に示される超音波ホーンは、ホーンの周りに配設されたリング又は他の円筒体を含まず、超音波ホーンの代替的ジオメトリーと機能的に比較され得る基準構成として解釈することができる。いくつかの態様では、図３に示される超音波ホーンは、第１の円筒部５２０と関連付けられたトルク特徴部５２５を含み得る。かかるトルク特徴部５２５は、トルクレンチなどのトルク付与ツールに解放可能に係合するために使用されて、ホーンが変換部５１８及び尾部５１７と一緒に組み立てられることを可能にしてもよい。上述したように、製造中のこのようなトルク付与ツールの使用は、変換部５１８の圧縮を誘発することによって、変換部５１８の超音波装置の残りの部分への機械的結合を向上させることができる。以下に開示されるように、このようなトルク特徴部５２５は、超音波ホーンの任意の１つ以上の構成要素に含まれてもよく、又はこれらに組み込まれてもよく、これらの構成要素としては、フランジ５１０、第１の円筒部５２０、第２の円筒部５３０、及び任意の追加のリング又は円筒体が挙げられるが、これらに限定されない。
【００５２】
変位位相グラフ４００は、試験負荷５５０を含む超音波トランスデューサ５００の長さに沿った軸方向変位の位相を表す。位相は、フランジ５１０を含む変換部５１８の長さ（尾部５１７から、尾部５１７から約２０ｍｍの位置まで）に沿って、及び試験負荷５５０の遠位セグメントの長さ（尾部５１７から約８２ｍｍの位置から、尾部５１７から約１０５ｍｍの試験負荷５５０の遠位端まで）に沿って、正の値を有してもよい。位相はまた、超音波ホーンの長さ（尾部５１７から約２０ｍｍの位置のフランジ５１０から、超音波ホーンの遠位端５３５まで）に沿って、及び試験負荷５５０の少なくとも一部（尾部５１７から約６０ｍｍの位置から、尾部５１７から約８２ｍｍの位置まで）に沿って、負の値を有してもよい。
【００５３】
変位量グラフ３００は、試験負荷５５０を含む超音波トランスデューサ５００の長さに沿った軸方向変位の量の絶対値を示す。変位量グラフ３００は、ホーンのジオメトリーに部分的に起因し得る超音波トランスデューサ５００の軸方向変位の量における機械的ゲインの量を示す。したがって、変換部５１８の最大変位量は約２．５μｍであってもよいが、第２の円筒部５３０における最大変位量は約１６μｍであってもよく、試験負荷５５０の遠位端における最大変位量３６０は、約１７．１μｍであってもよい。このようにして、変換部５１８から試験負荷５５０の端部までの約６．８の軸方向変位量のゲインを実現することができる。
【００５４】
図４〜７は、別の超音波トランスデューサ及びそれらに関連するシミュレーションされた軸方向変位量グラフ及び軸方向変位位相グラフの例を示す。別のトランスデューサの多くは、図３に示される超音波トランスデューサ５００について上述したものと同一の構成要素を含む。そのような同一の構成要素の例としては、尾部５１７、変換部５１８、第１の円筒部５２０、第２の円筒部５３０、テーパ部５４０、第１のテーパ部５４２、第２のテーパ部５４４、第２のテーパ部の遠位端５３５、及び試験負荷５５０が挙げられるが、これらに限定されない。図４〜７の複雑さを低減させるために、同一の構成要素には、同一の参照番号を付す。更に、図４〜７に示される、参照番号によって特徴付けられない超音波トランスデューサの構成要素は、図３に示される同様に命名された構成要素及び参照番号を指すと理解され得る。
【００５５】
図４は、超音波トランスデューサ５０１の一部の軸方向変位の量を示す変位量グラフ３０１と、超音波トランスデューサ５０１の一部の軸方向変位の位相を示す変位位相グラフ（図３の変位位相グラフ４００と等価）と、に重ね合わされた超音波トランスデューサ５０１の物理的表示を示す。図４に示されるグラフの横座標（トランスデューサの尾部５１７からの距離（ｍｍ））は、超音波トランスデューサ５０１、変位量グラフ３０１、及び変位位相グラフの表示に等しく適用される。グラフの左縦座標は、軸方向変位の量（μｍ）に関し、グラフの右縦座標は、軸方向変位の位相（度）に関する。変位量グラフ３０１及び変位位相グラフは、表１に示すように、４８，６５６Ｈｚの共振周波数におけるＶｐ−ｐ（２７Ｖ）及び電流（５１７．５ｍＡ）の入力パラメータを有する超音波トランスデューサ５０１のジオメトリーのシミュレーションから導出された。
【００５６】
超音波トランスデューサ５０１は、尾部と、変換部と、超音波ホーンと、を含む。超音波ホーンは、フランジ５１０と、第１の円筒部５２０と、テーパ部と、第２の円筒部と、を含む。テーパ部は、第１のテーパ部５４２及び第２のテーパ部５４４を更に含む。図４に示される超音波ホーンは、第１の円筒部５２０の遠位端（フランジ５１０から約１０ｍｍ遠位の位置）に位置するトルク特徴部５２５を含む。超音波トランスデューサ５００（図３）に含まれる同様の機能的特徴とは異なり、超音波トランスデューサ５０１内のトルク特徴部５２５は、第１の円筒部５２０の本体に組み込まれず、第１の円筒部５２０の遠位端に位置する追加の半径方向延在部分を構成する。超音波トランスデューサ５０１は、第１のテーパ部５４２と第２のテーパ部５４４との間に配設されたリング又は円筒体５４８を更に含む（第２の円筒部の遠位端５３５から約１８ｍｍ近位の位置）。円筒体５４８は、約２７ｍｍの外径及び約２ｍｍの幅を有する。
【００５７】
変位位相グラフ（図３の変位位相グラフ４００と等価）は、試験負荷を含む超音波トランスデューサ５０１の長さに沿った軸方向変位の位相を示す。位相は、フランジ５１０を含む変換部の長さ（尾部から、尾部から約２０ｍｍの位置まで）に沿って、及び試験荷重の遠位セグメントの長さ（尾部から約８２ｍｍの位置から、尾部から約１０５ｍｍの試験負荷の遠位端まで）に沿って、正の値を有してもよい。位相はまた、超音波ホーンの長さ（超音波ホーンの尾部から約２０ｍｍの位置のフランジ５１０から、遠位端５３５まで）に沿って、及び試験負荷の少なくとも一部（尾部から約６０ｍｍの位置から、尾部から約８２ｍｍの位置まで）に沿って、負の値を有してもよい。
【００５８】
変位量グラフ３０１は、試験負荷を含む超音波トランスデューサ５０１の長さに沿った軸方向変位の量の絶対値を示す。変位量グラフ３０１は、ホーンのジオメトリーに部分的に起因し得る超音波トランスデューサ５０１の軸方向変位の量における機械的ゲインの量を示す。したがって、変換部の最大変位量は約７．５μｍであってもよく、第２の円筒部におけるホーンの最大変位量は約２８μｍであってもよく、試験負荷の遠位端における最大変位量３６１は、約３０．６μｍであってもよい。このようにして、変換部から試験負荷の端部までの約４．１の軸方向変位量のゲインを実現することができる。図４に示される超音波ホーンの変位ゲインは、図３に示される超音波ホーンの変位ゲインよりも小さいが、図４に示されるホーンの最大変位量３６１（３０．６μｍ）は、図３に示されるホーンの最大変位量３６０（１７．１μｍ）より約１４μｍ（又は８２％の係数）大きい。したがって、超音波ホーンへのリング又は円筒体の追加は、超音波トランスデューサに取り付けられたエンドエフェクタの変位を増加させるために行われ得ることが明らかである。
【００５９】
図４に示される超音波トランスデューサ５０１のジオメトリーは、図３に示される超音波トランスデューサ５００上の最大変位量３６１の増加をもたらし得る。更に、表１の項目は、図４に示されるホーンのジオメトリーが、超音波トランスデューサ５０１を動作させるために、超音波トランスデューサ５００よりも多くの電流、ひいては電力を必要とすることを示す。具体的には、超音波トランスデューサ５０１は、超音波トランスデューサ５００のほぼ２倍の電力を使用する。理論に束縛されるものではないが、超音波トランスデューサ５０１を動作させるための電力増加は、変換部５１４のインピーダンスの低減に部分的に起因して、超音波トランスデューサ５０１によって使用される追加電流から生じ得る。
【００６０】
図５は、超音波トランスデューサ５０２の一部の軸方向変位の量を示す変位量グラフ３０２と、超音波トランスデューサ５０２の一部の軸方向変位の位相を示す変位位相グラフ（図３の変位位相グラフ４００と等価）と、に重ね合わされた超音波トランスデューサ５０２の物理的表示を示す。図５に示されるグラフの横座標（トランスデューサの尾部からの距離（ｍｍ））は、超音波トランスデューサ５０２、変位量グラフ３０２、及び変位位相グラフの表示に等しく適用される。グラフの左縦座標は、軸方向変位の量（μｍ）に関連し、グラフの右縦座標は、軸方向変位の位相（度）に関連する。変位量グラフ３０２及び変位位相グラフは、表１に示すように、５０，５１０Ｈｚの共振周波数におけるＶｐ−ｐ（２７Ｖ）及び電流（２５８．８ｍＡ）の入力パラメータを有する超音波トランスデューサ５０２のジオメトリーのシミュレーションから導出された。
【００６１】
超音波トランスデューサ５０２は、尾部と、変換部と、超音波ホーンと、を含む。超音波ホーンは、フランジ５１０、第１の円筒部５２０、テーパ部５４０、及び第２の円筒部５３０を含む。テーパ部５４０は、第１のテーパ部５４２と、第２のテーパ部５４４と、それらの間の平坦部５４６と、を更に含む。図５に示される超音波ホーンは、第１の円筒部５２０の遠位端（フランジ５１０から約１０ｍｍ遠位の位置）に位置するトルク特徴部５２５を含む。超音波トランスデューサ５００（図３）に含まれる同様の機能的特徴とは異なり、超音波トランスデューサ５０２内のトルク特徴部５２５は、第１の円筒部５２０の本体に組み込まれず、第１の円筒部５２０の遠位端に位置する追加の半径方向延在部分を構成する。図５に示される超音波ホーンは、第２のテーパ部５４４の遠位部に配設され、第２の円筒部５３０の近位に配設されたリング又は円筒体５３２を含む（第２の円筒部の遠位端５３５から約７．６ｍｍ近位）。円筒体５３２は、約８ｍｍの外径及び約２ｍｍの幅を有する。
【００６２】
変位位相グラフは、試験負荷を含む超音波トランスデューサ５０２の長さに沿った軸方向変位の位相を表す。位相は、フランジ５１０を含む変換部の長さ（尾部から、尾部から約２０ｍｍの位置まで）に沿って、及び試験荷重の遠位セグメントの長さ（尾部から約８２ｍｍの位置から、尾部から約１０５ｍｍの試験負荷の遠位端まで）に沿って、正の値を有してもよい。位相はまた、超音波ホーンの長さ（超音波ホーンの尾部から約２０ｍｍの位置のフランジ５１０から、遠位端５３５まで）に沿って、及び試験負荷の少なくとも一部（尾部から約６０ｍｍの位置から、尾部から約８２ｍｍの位置まで）に沿って、負の値を有してもよい。
【００６３】
変位量グラフ３０２は、試験負荷を含む超音波トランスデューサ５０２の長さに沿った軸方向変位の量の絶対値を示す。変位量グラフ３０２は、ホーンのジオメトリーに部分的に起因し得る超音波トランスデューサ５０２の軸方向変位の量における機械的ゲインの量を示す。したがって、変換部の最大変位量は約３．５μｍであってもよく、第２の円筒部５３０におけるホーンの最大変位量は約１９．５μｍであってもよく、試験負荷の遠位端における最大変位量３６２は、約２０．９μｍであってもよい。このようにして、変換部から試験負荷の端部までの約６の軸方向変位量のゲインを実現することができる。図５に示される超音波ホーンの変位ゲインは、図３に示される超音波ホーンの変位ゲインよりも小さいが、図４に示される超音波ホーンの変位ゲインよりも著しく大きい。図５に示されるホーンの最大変位量３６２（２１μｍ）は、図３に示すホーンの最大変位量３６０（１７．１μｍ）よりも、ほぼ４μｍ（又は２３％の係数）と若干大きい。図５に示されるホーンの最大変位量３６２と図４に示すホーンの最大変位量３６１との比較が示唆するように、円筒体をフランジ５１０からホーンの長さに沿って更に移動させ、円筒形質量の外径を減少させることによって、最大変位に対する円筒体の影響を減少させることができる。
【００６４】
図５に示される超音波トランスデューサ５０２のジオメトリーは、図３に示される超音波トランスデューサ５００の上の最大変位量３６２をやや増加させ得るが、表１の項目は、図５に示されるホーンのジオメトリーもまた、超音波トランスデューサ５００よりも電力消費を単にやや増加させることを示す。具体的には、超音波トランスデューサ５０２は、超音波トランスデューサ５００よりも５０％未満の電力を更に必要とする。更に、超音波トランスデューサ５０２の共振周波数は、超音波トランスデューサ５００の共振周波数から約０．３％（より低い）だけシフトする（超音波トランスデューサ５０１の約４％のシフトと比較）。電源が調整済みの（及びおそらくは固定された）動作周波数を有する場合、超音波トランスデューサの共振周波数が超音波電源の動作周波数から過度に逸脱しないように確保することが有用であり得る。
【００６５】
図６は、超音波トランスデューサ５０３の一部の軸方向変位の量を示す変位量グラフ３０３と、超音波トランスデューサ５０３の一部の軸方向変位の位相を示す変位位相グラフ（図３の変位位相グラフ４００と等価）と、に重ね合わされた超音波トランスデューサ５０３の物理的表示を示す。図６に示されるグラフの横座標（トランスデューサの尾部からの距離）は、超音波トランスデューサ５０３、変位量グラフ３０３、及び変位位相グラフの表示に等しく適用される。グラフの左縦座標は、軸方向変位の量（μｍ）に関連し、グラフの右縦座標は、軸方向変位の位相（度）に関連する。変位量グラフ３０３及び変位位相グラフは、表１に示すように、４９，６９４Ｈｚの共振周波数におけるＶｐ−ｐ（２７Ｖ）及び電流（２８５．６ｍＡ）の入力パラメータを有する超音波トランスデューサ５０３のジオメトリーのシミュレーションから導出された。
【００６６】
超音波トランスデューサ５０３は、尾部と、変換部と、超音波ホーンと、を含む。超音波ホーンは、フランジ５１０、第１の円筒部５２０、テーパ部５４０、及び第２の円筒部５３０を含む。テーパ部５４０は、第１のテーパ部５４２と、第２のテーパ部５４４と、それらの間の平坦部５４６と、を更に含む。図６に示される超音波ホーンは、第１の円筒部５２０の遠位端（フランジ５１０から約１０ｍｍ遠位の位置）に位置するトルク特徴部５２５を含む。超音波トランスデューサ５００（図３）に含まれる同様の機能的特徴とは異なり、超音波トランスデューサ５０３内のトルク特徴部５２５は、第１の円筒部５２０の本体に組み込まれないが、第１の円筒部５２０の遠位端に位置する追加の半径方向延在部分を構成し、リング又は円筒体５３４が、第２のテーパ部５４４の遠位部分に配設され、第２の円筒部５３０の近位に配設されている（第２の円筒部の遠位端５３５から約７．６ｍｍ近位）。円筒体５３４は、約１２ｍｍの外径及び約２ｍｍの幅を有する。超音波トランスデューサ５０２と超音波トランスデューサ５０３との間の唯一の差異は、円筒体の外径である（円筒体５３４は、等価の円筒体５３２よりも約５０％大きい外径を有する）ことが観察され得る。
【００６７】
変位位相グラフは、試験負荷を含む超音波トランスデューサ５０３の長さに沿った軸方向変位の位相を示す。位相は、フランジ５１０を含む変換部の長さ（尾部から、尾部から約２０ｍｍの位置まで）に沿って、及び試験荷重の遠位セグメントの長さ（尾部から約８２ｍｍの位置から、尾部から約１０５ｍｍの試験負荷の遠位端まで）に沿って、正の値を有してもよい。位相はまた、超音波ホーンの長さ（超音波ホーンの尾部から約２０ｍｍの位置のフランジ５１０から、遠位端５３５まで）に沿って、及び試験負荷の少なくとも一部（尾部から約６０ｍｍの位置から、尾部から約８２ｍｍの位置まで）に沿って、負の値を有してもよい。
【００６８】
変位量グラフ３０３は、試験負荷を含む超音波トランスデューサ５０３の長さに沿った軸方向変位の量の絶対値を示す。変位量グラフ３０３は、ホーンのジオメトリーに部分的に起因し得る超音波トランスデューサ５０３の軸方向変位の量における機械的ゲインの量を示す。したがって、変換部の最大変位量は約４μｍであってもよく、第２の円筒部５３０におけるホーンの最大変位量は約２１μｍであってもよく、試験負荷の遠位端における最大変位量３６３は、約２２．３μｍであってもよい。このようにして、変換部から試験負荷の端部までの約５．６の軸方向変位量のゲインを実現することができる。図６に示される超音波ホーンの変位ゲインは、図５に示す超音波ホーンの変位ゲインよりわずかに小さく（約７％）、図６に示すホーンの最大変位量３６３（２２．５μｍ）は、図５に示されるホーンの最大変位量３６２（２１μｍ）よりも約７％とわずかに大きい。図６に示すホーンの最大変位量３６３と図５に示されるホーンの最大変位量３６２との比較が示唆するように、第２の円筒体の外径を増加させることによって、超音波トランスデューサの遠位端における最大変位をいくらか増加させることができる。
【００６９】
図６に示される超音波トランスデューサ５０３のジオメトリーは、図５に示される超音波トランスデューサ５０２のジオメトリーよりも最大変位量３６３を若干増加させる。表１の項目は、図６に示されるホーンのジオメトリーが、超音波トランスデューサ５０２のジオメトリーよりも使用電力を若干増加させる。具体的には、超音波トランスデューサ５０３は、超音波トランスデューサ５０２よりも約１０％多くの電力を使用する。また、超音波トランスデューサ５０３の共振周波数は、超音波トランスデューサ５００の共振周波数から約２．０％（より低く）シフトする（超音波トランスデューサ５０２の約０．３％のシフトと比較）。
【００７０】
図７は、超音波トランスデューサ５０４の一部の軸方向変位の量を示す変位量グラフ３０４と、超音波トランスデューサ５０４の一部の軸方向変位の位相を示す変位位相グラフ（図３の変位位相グラフ４００と等価）と、に重ね合わされた超音波トランスデューサ５０４の物理的表示を示す。図７に示されるグラフの横座標（トランスデューサの尾部からの距離）は、超音波トランスデューサ５０４の変位量グラフ３０４及び変位位相グラフの表示に等しく適用される。グラフの左縦座標は、軸方向変位の量（μｍ）に関連し、グラフの右縦座標は、軸方向変位の位相（度）に関連する。変位量グラフ３０４及び変位位相グラフは、表１に示すように、共振周波数４８，５２４ＨｚにおけるＶｐ−ｐ（２７Ｖ）及び電流（４１．３６ｍＡ）の入力パラメータを有する超音波トランスデューサ５０４のジオメトリーのシミュレーションから導出された。
【００７１】
超音波トランスデューサ５０４は、尾部と、変換部と、超音波ホーンと、を含む。超音波ホーンは、フランジ５１０、第１の円筒部５２０、テーパ部５４０、及び第２の円筒部５３０を含む。テーパ部５４０は、第１のテーパ部５４２及び第２のテーパ部５４４を更に含む。図３に示される超音波ホーンと同様に、図７に示される超音波ホーンは、第１の円筒部５２０の遠位部分の一部として作製されたトルク特徴部５２５を含み得る。図７の超音波ホーンは、第１の円筒部５２０上に（第２の円筒部の遠位端５３５から約３０．４ｍｍ近位に）配設されたリング又は円筒体５２８を更に含む。円筒体５２８は、約２５ｍｍの外径及び約２ｍｍの幅を有する。超音波トランスデューサ５００と超音波トランスデューサ５０４との間の主な差異は、超音波トランスデューサ５０４が円筒体５２８を含むことであると観察され得る。
【００７２】
変位位相グラフは、試験負荷を含む超音波トランスデューサ５０４の長さに沿った軸方向変位の位相を表す。位相は、フランジ５１０を含む変換部の長さ（尾部から、尾部から約２０ｍｍの位置まで）に沿って、及び試験荷重の遠位セグメントの長さ（尾部から約８２ｍｍの位置から、尾部から約１０５ｍｍの試験負荷の遠位端まで）に沿って、正の値を有してもよい。位相はまた、超音波ホーンの長さ（超音波ホーンの尾部から約２０ｍｍのフランジ５１０の位置から、遠位端５３５まで）に沿って、及び試験負荷の少なくとも一部（尾部から約６０ｍｍの位置から、尾部から約８２ｍｍの位置まで）に沿って、負の値を有してもよい。
【００７３】
変位量グラフ３０４は、超音波トランスデューサ５０４と試験負荷の長さに沿った軸方向変位の量の絶対値を示す。変位量グラフ３０４は、ホーンのジオメトリーに部分的に起因し得る超音波トランスデューサ５０４の軸方向変位の量における機械的ゲインの量を示す。したがって、変換部の最大変位量は約３．５μｍであってもよく、第２の円筒部５３０におけるホーンの最大変位量は約１７．５μｍであってもよく、試験負荷の遠位端における最大変位量３６４は、約１８．７μｍであってもよい。このようにして、変換部から試験負荷の端部までの約５．３の軸方向変位量のゲインを実現することができる。図７に示される超音波ホーンの変位ゲインは、図３に示される超音波ホーンの変位ゲインより小さく（約２２％）、図７に示されるホーンの最大変位量３６４（１８．７μｍ）は、図３に示されるホーンの最大変位量３６０（１７．１μｍ）よりも約９％大きい。図７に示されるホーンの最大変位量３６４と、図３に示されるホーンの最大変位量３６０との比較が示唆するように、第１の円筒部５２０の遠位端における円筒体５２８を追加することによって、最大変位量をやや増加させることができる。
【００７４】
図３に示される超音波トランスデューサ５００と図７に示される超音波トランスデューサ５０４との間の比較は、円筒体５２８のトランスデューサへの追加の更なる効果を明らかにすることができる。例えば、トランスデューサ５００の位相余裕（ＰＭ）は、トランスデューサ５０４の位相余裕（ＰＭ）よりも約１４％小さい。上述のように、超音波信号発生器において起こり得る周波数誤差の影響を最小限に抑えるために、より大きな位相余裕が有用であり得る。したがって、この点に関して、円筒体５２８の追加が有用であり得る。表１の項目はまた、図７に示されるホーンのジオメトリーが、トランスデューサ５０４を動作させるために、超音波トランスデューサ５００よりも約２０％多くの電力を使用することを示す。これは、トランスデューサ５００に対するトランスデューサ５０４の２０％の引き込み電流増加と、トランスデューサ５００に対するトランスデューサ５０４の約２０％のインピーダンス減少と一致する。
【００７５】
表１のデータ及び図３〜７のグラフに基づいて、超音波トランスデューサの長さに沿った１つ以上の円筒体の幅、サイズ、及び配置は、トランスデューサの特性に多数の相互作用を及ぼすことが観察され得る。上述したように、トランスデューサの端部変位を最大化することができるジオメトリーを有するトランスデューサを作製し、トランスデューサを駆動する使用電力を最適化し、位相余裕を最大化する（それによって、トランスデューサの共振周波数から生じ得る電源周波数ドリフトの影響を最小化する）ことが望ましい。図８〜１６は、リングのジオメトリーの変化が、トランスデューサの固定電圧及び共振周波数で給電されるトランスデューサの位相余裕、端部変位、及びインピーダンスに及ぼす影響のシミュレーショングラフを示す。上記グラフは、トランスデューサの最適ジオメトリーを決定するのに有用であり得る。
【００７６】
図８〜１０はそれぞれ、超音波トランスデューサ５００のリング外径（ｍｍ）に対する、位相余裕（Ｈｚ）、端部変位（μｍ）、及びインピーダンス（オーム）のグラフである。これらのシミュレーションのために、「リング」は、トランスデューサ５００の尾部５１１から約２０ｍｍ遠位に位置するフランジ５１０を含む。例えば、図３では、フランジ５１０がトランスデューサ５００の近位波節（軸方向変位量グラフ３００が最小となる位置）に位置することが観察され得る。したがって、フランジ５１０のジオメトリーの変化によるトランスデューサ５００の応答パラメータは、リング配置による影響に依存しない場合がある。図８〜１０のそれぞれにおいて、フランジ５１０は、２ｍｍの固定幅を有する。位相余裕のグラフ（図８の８００）及び端部変位（図９の９００）のグラフの両方が、ＯＤ値の範囲にわたってリング外径と共に単調に増加することが観察され得る。しかしながら、トランスデューサのインピーダンス（図１０の１０００）のグラフは、同じ範囲にわたって単調に減少する。トランスデューサを動作させるのに必要な電力はトランスデューサのインピーダンスに反比例するため、インピーダンスの減少は、トランスデューサを動作させる電力の増加に対応し得る。ＰＭ対リングＯＤ（図８の８００）及び端部変位対リングＯＤのグラフ（図９の９００）は、二階方程式によってモデル化され得ることが分かる。理論に束縛されるものではないが、このようなグラフは、ＰＭ及び変位の両方がリングの質量の関数であり、リングの半径（ＯＤの半分）の自乗の関数であることを示唆し得る。
【００７７】
図１１〜１３は、超音波トランスデューサ５００のリング幅（ｍｍ）に対する、位相余裕（Ｈｚ）、端部変位（μｍ）、及びインピーダンス（オーム）のグラフである。これらのシミュレーションのために、「リング」は、トランスデューサ５００の尾部５１１から約２０ｍｍ遠位に位置するフランジ５１０を含む。例えば、図３では、フランジ５１０がトランスデューサ５００の近位波節（軸方向変位の量のグラフ３００が最小となる位置）に位置することが観察され得る。したがって、フランジ５１０のジオメトリーの変化によるトランスデューサ５００の応答パラメータは、リング配置による影響に依存しない場合がある。図１１〜１３のそれぞれにおいて、フランジ５１０は、１５ｍｍの固定外径（ＯＤ）を有する。位相余裕のグラフ（図１１の１１００）及び端部変位のグラフ（図１２の１２００）の両方が、リング幅値の範囲にわたってリング幅と共に単調に増加することが観察され得る。しかしながら、トランスデューサのインピーダンス（図１３の１３００）のグラフは、同じ範囲にわたって単調に減少する。トランスデューサを動作させるのに必要な電力はトランスデューサのインピーダンスに反比例するため、インピーダンスの減少は、トランスデューサを動作させるのに必要な電力の増加に対応し得る。ＰＭ対リングＯＤ又は幅のグラフ（図８の８００対図１１の１１００）、及び端部変位対リングＯＤ又は幅のグラフ（図９の９００対図１２の１２００）の比較が示唆するように、リング幅がＰＭ及び端部変位の両方に及ぼす影響は、リングＯＤが２つの測定値に及ぼす影響よりも大きくなり得る。更に、ＰＭ対リングＯＤのグラフ（図８の８００）と変位対リングＯＤのグラフ（図９の９００）の傾きはリングＯＤの増加と共に上昇する一方、ＰＭ対リング幅のグラフ（図１１の１１００）と変位対リング幅のグラフ（図１２の１２００）の傾きは、リング幅の増加と共に低下するか、又は一定のままであるのが分かる。これらの結果は、リング幅の増加は、リングＯＤよりもトランスデューサのＰＭと変位に大きな影響を及ぼすが、リング幅が増加するにつれ、リング幅の影響が弱まっていくことを示唆し得る。理論に束縛されるものではないが、ＰＭ及び端部変位の両方に対するリング幅の効果の減少は、フランジ幅が軸方向寸法に沿って増加するにつれて、トランスデューサ５００の局所的剛性が増大することに起因し得る。加えて、インピーダンス対リングＯＤ又は幅（図１０の１０００対図１３の１３００）のグラフの比較が示すように、リングＯＤがインピーダンスに及ぼす影響がリングＯＤとほぼ線形である一方、リンク幅がインピーダンスに及ぼす影響は、より複雑な依存性を有する。
【００７８】
図１４〜１６はそれぞれ、超音波トランスデューサ５００の場合のトランスデューサの長手方向軸に沿ったリング変位（近位波節と近位波腹との間の距離のパーセント）に対する、位相余裕（Ｈｚ）、端部変位（μｍ）、インピーダンス（オーム）のグラフである。図３を一例として参照すると、近位波節は、ほぼフランジ５１０の位置（軸方向変位量曲線３００が第１の最小値をとる尾部５１７から約２０ｍｍの位置）に見られ得る。同様に、図３を一例として参照すると、近位波腹は、およそ尾部５１７から約６０ｍｍの位置の超音波ホーンの遠位端５３５で見られ、軸方向変位量曲線３００は、超音波ホーンにおいて第１の最大値を有する。これらのシミュレーションでは、「リング」は、２ｍｍの固定幅を有する。図８〜１３に示されるグラフと異なり、図１３〜１６に示されるグラフは単調ではなく、波節と波腹との間の距離パーセント値の範囲にわたって最大値（図１４の１４００及び図１５の１５００）と最小値（図１６の１６００）を表示する。また、最大位相余裕（図１４の１４００）及び変位（図１５の１５００）は、図１６のグラフ１６００に示すように、インピーダンスの最小値に対応する波節と波腹との間の距離パーセント値で発生することにも留意されたい。更に、図１４〜１６に示されるグラフが対称であるように見えないことに留意されたい。理論に束縛されるものではないが、図１４〜１６に示されるグラフにおける対称性の欠如は、超音波ホーンの直径が第１の円筒部５２０からテーパ部５４０を通じて及び第２の円筒部５３０まで変化することから生じ得る。図１４のグラフ１４００及び図１５のグラフ１５００に示されるグラフのピークは、平坦部５４６の位置に対応し得る波節／波腹距離の約５０％（尾部５１７から約４０ｍｍ遠位）において生じる。同様に、図１６のグラフ１６００のトラフは、平坦部５４６の位置に対応し得る波節／波腹距離の約５０％（尾部５１７から約４０ｍｍ遠位）において生じる。
【００７９】
上述され図３〜１６に示されるように、超音波トランスデューサに追加される円筒体又はリングの適切な選択は、エネルギー供給によって通電されたときにトランスデューサの応答を調整するのに役立ち得ると理解することができる。図１７〜２２は、トランスデューサのいくつかの応答パラメータの選択的調整を可能にし得るトランスデューサ上のリングの選択的配置及びジオメトリーのシミュレーション結果を示す。
【００８０】
以下の表２は、３つの異なるホーンのジオメトリーのそれぞれに対するいくつかのトランスデューサ応答パラメータに関する。表２において、「トランスデューサ」の下の記載事項は、トランスデューサのジオメトリーに対応する図番を参照し、「応答」の下の記載事項は、トランスデューサに関連付けられたインピーダンスのグラフを示す図番を参照する。表２において、Ｆｒは、対応するトランスデューサの図に示されるジオメトリーに関して決定された共振周波数（Ｈｚ）に対応する。Ｆｒは、Ｚｍｉｎ（オーム）の対応する最小インピーダンスを有する。上述のように、ＰＭ（位相余裕）は、反共振周波数（Ｆａ）と共振周波数（Ｆｒ）との間のＨｚの差である。品質係数Ｑｍは、最小インピーダンス値の
【００８１】
【数５】
2019535440.tif 000008
倍の全幅に対応する点における、インピーダンス幅のグラフに対する共振周波数の比として計算される単位なしの数である。
【００８２】
【表２】
2019535440.tif 000009
【００８３】
図１７は、最小フランジ１７１０と、リングを有さない第１の円筒部１７２０と、平坦部を有するテーパ部１７４０と、第２の円筒部１７３０と、を特徴とする超音波ホーン１７２２の第１の態様を示す。これは、図１９（１９２２）及び図２１（２１２２）に示される超音波ホーンと比較することができる基準構成と解釈することができる。図１８は、第１の超音波ホーン１７２２と関連付けられたインピーダンス振幅グラフ１８００及びインピーダンス位相グラフ１９００を含むインピーダンスグラフを示す。インピーダンス振幅グラフ１８００は、共振周波数（Ｆｒ）１８２０における最小インピーダンス、及び反共振防止周波数（Ｆａ）１８３０における最大インピーダンスを示す。位相余裕１８４０は、ＦａとＦｒとの間の差である。
【００８４】
図１９は、拡張フランジ１９１０によって特徴付けられる超音波ホーン１９２２の第２の態様を示し、第１の円筒部１９２０は、その遠位端に位置するトルク機構１９２５、テーパ部の遠位に位置する小リング１９３４、及び第２の円筒部１９３０を有する。図２０は、第２の超音波ホーン１９２２と関連付けられたインピーダンス振幅グラフ１８０１及びインピーダンス位相グラフ１９０１を含むインピーダンスグラフを示す。インピーダンス振幅グラフ１８０１は、共振周波数（Ｆｒ）１８２１における最小インピーダンス、及び反共振防止周波数（Ｆａ）１８３１における最大インピーダンスを示す。位相余裕１８４１は、ＦａとＦｒとの間の差である。
【００８５】
図２１は、超音波ホーン１９２２に示されるフランジ１９１０よりも大きい幅を有する膨張フランジ２１１０と、第１の円筒部２１２０と、第２の円筒部２１３０と、テーパ部の遠位に位置し、超音波ホーン１９２２の小リング１９３４の外径及び幅と同等の外径及び幅を有する小リング２１３４と、によって特徴付けられた超音波ホーン２１２２の第３の態様を示す。小リング２１３４は、トルク特徴部２１２５も含む。図２２は、第３の超音波ホーン２１２２と関連付けられたインピーダンス振幅グラフ１８０２及びインピーダンス位相グラフ１９０２を含むインピーダンスグラフを示す。インピーダンス振幅グラフ１８０２は、共振周波数（Ｆｒ）１８２２における最小インピーダンス、及び反共振防止周波数（Ｆａ）１８３２における最大インピーダンスを示す。位相余裕１８４２は、ＦａとＦｒとの間の差である。
【００８６】
第２の超音波ホーン１９２２及び第３の超音波ホーン２１２２は、それぞれのジオメトリーにおいて互いに著しく異なるように見えることが観察され得る。第３の超音波ホーン２１２２のフランジは、第２の超音波ホーン１９２２の幅の約２倍である。更に、第２の超音波ホーン１９２２は、第３の超音波ホーン２１２２の小リング２１３４に組み込まれる第１の円筒部１９２０に追加のトルク特徴部１９２５を含む。しかしながら、注目すべきは、第２の超音波ホーン１９２２の共振周波数は、第３の超音波ホーン２１２２の共振周波数とほぼ同一である一方で、両超音波ホーン１９２２及び２１２２のＦｒは、基準ホーン１７２２のＦｒよりも約１％大きいことである（表２を参照）。更に、表２に示すように、共振周波数（Ｚｍｉｎ）におけるインピーダンスは、超音波ホーン１９２２及び２１２２の両方に関して同じである。超音波ホーン１９２２及び２１２２の両方の共振周波数（Ｚｍｉｎ）におけるインピーダンスもまた、基準ホーン１７２２の約半分である。表２は、第３のホーン２１２２の品質係数が第２のホーン１９２２の品質係数よりも約３％低いが、両方とも、基準ホーン１７２２の品質係数の２倍を超える品質係数を有することを更に示す。しかしながら、表２を参照すると、第２の超音波ホーン１９２２の位相余裕は、基準ホーン１７２２の位相余裕よりも約１０％大きく、第３のホーン２１２２の位相余裕は、第２のホーン１９２２の位相余裕よりも約１１％大きい。したがって、他の応答特徴（Ｆｒ、Ｑｍ、及びＺｍｉｎ）を変更しないまま、１つの応答特徴（位相余裕）を調整するために、幾何学的特徴部を超音波ホーンに追加してもよいことが理解され得る。
【００８７】
上述した超音波トランスデューサ及び超音波トランスデューサホーンの例は、限定として解釈されるべきではない。超音波トランスデューサホーンは、例えば、１つ以上の円筒部、１つ以上のテーパ部、及び１つ以上のリング又は円筒体を含み得ると理解することができる。超音波トランスデューサホーンは、フランジを有してもよく、又はフランジを有さなくてもよい。
【００８８】
２つ以上の円筒部は、同じ又は異なる直径及び／又は長さを有してもよい。円筒部は、円形の断面、楕円形の断面、卵形の断面、又は他の滑らかな（角度を成さない）断面を有してもよい。１つの円筒部の断面は、第２の円筒部の断面と同じであっても、異なっていてもよい。
【００８９】
１つ以上のテーパ部は、線形（円錐形）テーパ又は湾曲テーパを有してもよい。湾曲テーパは、円形曲線、楕円曲線、卵形曲線、放物曲線、双曲線曲線、又は任意の他の曲線として特徴付けることができる。複数のテーパ部を有する超音波ホーンのテーパ部は、（湾曲テーパの場合）同じ又は異なる曲率、又は（円錐テーパの場合）同じ又は異なる開口角度を有してもよい。超音波ホーンは、テーパ部の全てが直線テーパを有する複数のテーパ部を含んでもよく、テーパ部の全ては、湾曲テーパ、直線テーパ、又は直線テーパと湾曲テーパとの組み合わせを有する。１つ以上のテーパ部は、いずれかの円筒部の間に分散されてもよい。第１のテーパ部は、第２のテーパ部に近接して配設されてもよい。平坦部は、第１のテーパ部と第２のテーパ部との間に配設されてもよい。
【００９０】
リング又は円筒体は、円筒形外表面を有してもよく、円筒は、円形断面、楕円形断面、卵形断面、又は任意の他の閉鎖曲線断面を有してもよい。リング又は円筒体は、１つ以上の平坦又は部分的に平坦な表面を含む外表面を有してもよい。超音波ホーンは、そのようなリングのうちの１つ以上を含んでもよい。２つ以上のリングのジオメトリーは、同じであっても異なっていてもよい。したがって、第１のリングの外径及び／又は幅は、第２のリングのそれぞれの外径及び／又は幅と同じであっても異なっていてもよい。同様に、２つ以上のリングの外側表面は、同じジオメトリーを有してもよく、又は異なるジオメトリーを有してもよい。
【００９１】
超音波トランスデューサホーンは、トルク特徴部を含んでもよく、又はそのようなトルク特徴部を欠いていてもよい。トルク特徴部は、フランジ、１つ以上の円筒部、１つ以上のテーパ部、１つ以上の平坦部、及び／又は１つ以上のリング若しくは円筒体を含む、超音波トランスデューサホーンの構成要素の任意の１つ以上に組み込む、又は追加することができる。トルク特徴部は、トルク付与ツールに係合するために使用され得る特徴部を含んでもよい。トルク付与ツールは、超音波ホーン、トランスデューサ構成要素（圧電トランスデューサなど）、及び端部又は尾部を含む超音波トランスデューサを組み立てるために使用されてもよい。トルク付与ツールは、トランスデューサ構成要素と超音波ホーンとの間の効果的な機械的接触を確保するために使用され得る。１つの非限定的な例では、かかるトルク特徴部は、トルク付与ツールの適切な嵌合表面に係合するように構成された１つ以上の表面を超音波ホーンの構成要素に含んでもよい。
【００９２】
上述の説明において様々な詳細が記載されてきたが、電気信号波形及び手術器具をデジタル的に生成するための発生器を動作させる技術の様々な態様が、これらの特定の詳細なしに実行され得ることが理解されよう。本明細書に記載される要素（例えば、動作）、装置、目的、及びそれらに伴う考察は、構想を明らかにするための例として使用され、様々な構成の修正が想到されることが、当業者には認識されよう。結果として、本明細書で使用されるとき、説明した特定の例及びそれらに伴う考察は、より一般的な種類を代表することを意図したものである。一般に、特定の代表例を用いることは、その種類を代表することを意図したものであり、また、特定の要素（例えば、動作）、装置、及び目的を含めないことは、限定と見なされるべきではない。
【００９３】
いくつかの形態が例示され説明されてきたが、添付の特許請求の範囲をそのような詳述に制限又は限定することは、本出願人が意図するところではない。多数の修正、変形、変化、置換、組み合わせ及びこれらの形態の等価物を実装することができ、本開示の範囲から逸脱することなく当業者により想到されるであろう。更に、記述する形態に関連した各要素の構造は、その要素によって行われる機能を提供するための手段として代替的に説明することができる。また、材料が特定の構成要素に関して開示されているが、他の材料が使用されてもよい。したがって、上記の説明文及び添付の特許請求の範囲は、全てのそのような修正、組み合わせ、及び変形を、開示される形態の範囲に含まれるものとして網羅することを意図としたものである点を理解されたい。添付の特許請求の範囲は、全てのそのような修正、変形、変化、置換、修正、及び等価物を網羅することを意図する。
【００９４】
本開示の簡潔性及び明白性のために、前述の開示の選択された態様は、詳細ではなくブロック図形態で示されてきた。本明細書に提供される詳細な説明の一部は、１つ又は２つ以上のコンピュータメモリ又は１つ又は２つ以上のデータ記憶装置（例えば、フロッピーディスク、ハードディスクドライブ、コンパクトディスク（Compact Disc、ＣＤ）、デジタルビデオディスク（Digital Video Disk、ＤＶＤ）、又はデジタルテープ）に記憶されるデータ上で動作する命令に関して提示され得る。そのような説明及び表現は、当業者によって、自身の仕事の内容を当該技術分野の他者に説明及び伝達するために使用されているものである。一般に、アルゴリズムとは、所望の結果につながる工程の自己無撞着シーケンスを指し、「工程」とは、必ずしも必要ではないが、記憶、伝達、複合、比較、及び別様に動作することが可能な電気又は磁気信号の形態をとることができる物理量及び／又は論理状態の動作を指す。これらの信号を、ビット、値、要素、記号、文字、用語、番号などとして言及することが一般的な扱い方である。これらの及び類似の用語は、適切な物理量と関連付けられてもよく、また単に、これらの量及び／又は状態に適用される便利なラベルである。
【００９５】
別段の明確な定めがない限り、前述の開示から明らかなように、前述の開示全体を通じて、「処理する」又は「計算する」又は「算出する」又は「決定する」又は「表示する」などの用語を使用する議論は、コンピュータシステムのレジスタ及びメモリ内で物理（電子的）量として表現されるデータを、コンピュータシステムのメモリ若しくはレジスタ又はそのような情報記憶、伝送若しくは表示装置内で物理量として同様に表現される他のデータへと操作し変換する、コンピュータシステム又は類似の電子計算装置の動作及び処理を指していることが理解されよう。
【００９６】
一般的な意味で、当業者は、多様なハードウェア、ソフトウェア、ファームウェア、又はこれらの任意の組み合わせによって、個々にかつ／又は共同して実装することができる、本明細書で説明する様々な態様を、様々な種類の「電気回路」から構成されるものと見なすことができることを認識するであろう。結果として、本明細書で使用されるとき、「電気回路」は、少なくとも１つの個々の電気回路を有する電気回路、少なくとも１つの集積回路を有する電気回路、少なくとも１つの専用集積回路を有する電気回路、コンピュータプログラムで構成された汎用コンピューティングデバイス（例えば、本明細書で説明したプロセス及び／若しくは装置を少なくとも部分的に実行するコンピュータプログラムで構成された汎用コンピュータ、又は本明細書で説明したプロセス及び／若しくは装置を少なくとも部分的に実行するコンピュータプログラムで構成されたマイクロプロセッサ）を形成する電気回路、メモリデバイスを形成する（例えば、ランダムアクセスメモリの形態）電気回路、及び／又は通信装置（例えばモデム、通信スイッチ若しくは光学的−電気的設備）を形成する電気回路を含むが、これらに限定されない。当業者は、本明細書で述べた主題が、アナログ若しくはデジタルの形式又はこれらのいくつかの組み合わせで実現されてもよいことを認識するであろう。
【００９７】
上記の詳細な説明は、ブロック図、フローチャート、及び／又は実施例を用いて装置及び／又はプロセスの様々な形態について記載してきた。そのようなブロック図、フローチャート、及び／又は実施例が、１つ又は２つ以上の機能及び／又は動作を含む限り、当業者に理解されたいこととして、そのようなブロック図、フローチャート、及び／又は実施例に含まれる各機能及び／又は動作は、多様なハードウェア、ソフトウェア、ファームウェア、又はこれらの事実上の任意の組み合わせによって、個々にかつ／又は共同に実装することができる。一形態では、本明細書に記載される主題のいくつかの部分は、特定用途向け集積回路（application specific integrated circuit、ＡＳＩＣ）、フィールドプログラマブルゲートアレイ（ＦＰＧＡ）、デジタル信号プロセッサ（digital signal processor、ＤＳＰ）、又は他の集積型形式で実装され得る。しかしながら、当業者に理解されたいこととして、その全部か一部かを問わず、本明細書で開示される形態のいくつかの態様は、１つ又は２つ以上のコンピュータ上で稼働する１つ又は２つ以上のコンピュータプログラムとして（例えば、１つ又は２つ以上のコンピュータシステム上で稼働する１つ又は２つ以上のプログラムとして）、１つ又は２つ以上のプロセッサ上で稼働する１つ又は２つ以上のプログラムとして（例えば、１つ又は２つ以上のマイクロプロセッサ上で稼働する１つ又は２つ以上のプログラムとして）、ファームウェアとして、あるいは、それらの実質的に任意の組み合わせとして、集積回路において等価に実現され得、また、回路を設計すること、並びに／又はソフトウェア及び／若しくはファームウェアのコードを記述することは、本開示を鑑みれば当業者の技能の範囲内に含まれる。更に、当業者に明らかとなることとして、本明細書に記載した主題の機構は、多様な形式で１つ又は２つ以上のプログラム製品として配布されることが可能であり、本明細書に記載した主題の具体的な形態は、配布を実際に行うために使用される信号搬送媒体の特定の種類にかかわらず用いられる。信号搬送媒体の例としては、記録可能型の媒体、例えば、フロッピーディスク、ハードディスクドライブ、コンパクトディスク（ＣＤ）、デジタルビデオディスク（ＤＶＤ）、デジタルテープ、コンピュータメモリなど、並びに伝送型の媒体、例えば、デジタル及び／又はアナログ通信媒体（例えば、光ファイバケーブル、導波管、有線通信リンク、無線通信リンク（例えば、送信機、受信機、送信ロジック、受信ロジックなど）など）が挙げられるが、これらに限定されない。
【００９８】
いくつかの例では、１つ又は２つ以上の要素は、「連結された」及び「接続された」という表現を、それらの派生語と共に使用して記載されることがある。これらの用語は、互いに同義語であることは意図されないことを理解されたい。例えば、いくつかの態様は、２つ又はそれ以上の要素が互いに直接物理的又は電気的に接触していることを示すため、「接続された」という用語を使用して記載されることがある。別の例では、いくつかの態様は、２つ又はそれ以上の要素が直接物理的又は電気的に接触していることを示すため、「連結された」という用語を使用して記載されることがある。しかしながら、「連結された」という用語は、２つ以上の要素が互いに直接接触はしないが、依然として互いに協働又は相互作用することを意味することもある。異なる他の構成要素内に含まれるか、又は接続される異なる構成要素の描写されたアーキテクチャは単なる例であり、実際同じ機能性を実現する多くの他のアーキテクチャが実装され得ることが分かる。構想の意味で、同じ機能性を達成する構成要素の任意の配置は、所望の機能性が達成されるように効果的に「関連付け」られる。したがって、特定の機能性を達成するように組み合わされた本明細書における任意の２つの構成要素は、アーキテクチャ又は中間構成要素にかかわらず、所望の機能性が達成されるように互いと「関連付け」られていると見なすことができる。同様に、そのように関連付けられた任意の２つの構成要素も、所望の機能性を達成するように互いに「動作可能に接続」又は「動作可能に連結」されているものと見なすことができ、そのように関連付けることが可能な任意の２つの構成要素も、所望の機能性を達成するように互いに「動作可能に連結可能」であると見なすことができる。動作可能に連結可能な特定の例としては、物理的に嵌合可能かつ／若しくは物理的に相互作用する構成要素、及び／又は無線相互作用性かつ／若しくは無線相互作用性構成要素、及び／又は電気的相互作用性構成要素、及び／又は光学的相互作用性構成要素、及び／又は光学的相互作用性構成要素が挙げられるが、これらに限定されない。
【００９９】
場合によっては、１つ又は２つ以上の要素が、本明細書において、「ように構成される」、「ように構成可能である」、「ように動作可能である／動作する」、「適合される（adapted）／適合可能である」、「ことが可能である」、「ように適合可能である／適合される（conformed）」などと呼ばれることがある。当業者は、「ように構成される」は一般に、文脈上他の意味に解釈すべき場合を除き、アクティブ状態の要素及び／又は非アクティブ状態の要素及び／又はスタンバイ状態の要素を包含し得ることを理解するであろう。
【０１００】
本開示の特定の態様が図示され記載されてきたが、本明細書の教示に基づいて、本明細書に記載される主題及びそのより広範な態様から逸脱することなく、変更及び修正が行われてもよく、したがって添付の特許請求の範囲は、全てのかかる変更及び修正を、本明細書に記載される主題の真の範囲内にあるものとして、その範囲内に包含するものであることが、当業者には明白となるであろう。一般に、本明細書で使用され、かつ特に添付の特許請求の範囲（例えば、添付の特許請求の範囲の本文）で使用される用語は、概して「開放的」用語として意図されるものである（例えば、「含む（including）」という用語は、「〜を含むが、それらに限定されない（including but not limited to）」と解釈されるべきであり、「有する（having）」という用語は「〜を少なくとも有する（having at least）」と解釈されるべきであり、「含む（includes）」という用語は「〜を含むが、それらに限定されない（includes but is not limited to）」と解釈されるべきであるなど）ことが、当業者には理解されるであろう。更に、導入された請求項記載（introduced claim recitation）において特定の数が意図される場合、かかる意図は当該請求項中に明確に記載され、またかかる記載がない場合は、かかる意図は存在しないことが、当業者には理解されるであろう。例えば、理解を助けるものとして、後続の添付の特許請求の範囲は、「少なくとも１つの（at least one）」及び「１つ以上の（one or more）」という導入句を、請求項記載を導入するために含むことがある。しかしながら、かかる句の使用は、「ａ」又は「ａｎ」という不定冠詞によって請求項記載を導入した場合に、たとえ同一の請求項内に「１つ以上の」又は「少なくとも１つの」といった導入句及び「ａ」又は「ａｎ」という不定冠詞が含まれる場合であっても、かかる導入された請求項記載を含むいかなる特定の請求項も、かかる記載事項を１つのみ含む請求項に限定されると示唆されるものと解釈されるべきではない（例えば、「ａ」及び／又は「ａｎ」は通常、「少なくとも１つの」又は「１つ以上の」を意味するものと解釈されるべきである）。定冠詞を使用して請求項記載を導入する場合にも、同様のことが当てはまる。
【０１０１】
更に、導入された請求項記載において特定の数が明示されている場合であっても、かかる記載は、典型的には、少なくとも記載された数を意味するものと解釈されるべきであることが、当業者には認識されるであろう（例えば、他に修飾語のない、単なる「２つの記載事項」という記載がある場合、一般的に、少なくとも２つの記載事項、又は２つ以上の記載事項を意味する）。更に、「Ａ、Ｂ、及びＣなどのうちの少なくとも１つ」に類する表記が用いられる場合、一般に、かかる構文は、当業者がその表記を理解するであろう意味で意図されている（例えば、「Ａ、Ｂ、及びＣのうちの少なくとも１つを有するシステム」は、限定するものではないが、Ａのみ、Ｂのみ、Ｃのみ、ＡとＢの両方、ＡとＣの両方、ＢとＣの両方、及び／又はＡとＢとＣの全てなどを有するシステムを含む）。「Ａ、Ｂ、又はＣなどのうちの少なくとも１つ」に類する表記が用いられる場合、一般に、かかる構文は、当業者がその表記を理解するであろう意味で意図されている（例えば、「Ａ、Ｂ、又はＣのうちの少なくとも１つを有するシステム」は、限定するものではないが、Ａのみ、Ｂのみ、Ｃのみ、ＡとＢの両方、ＡとＣの両方、ＢとＣの両方、及び／又はＡとＢとＣの全てなどを有するシステムを含む）。更に、典型的には、２つ以上の選択的な用語を表わすあらゆる選言的な語及び／又は句は、文脈上他の意味に解釈すべき場合を除いて、明細書内であろうと、請求の範囲内であろうと、あるいは図面内であろうと、それら用語のうちの１つ、それらの用語のうちのいずれか、又はそれらの用語の両方を含む可能性を意図すると理解されるべきであることが、当業者には理解されよう。例えば、「Ａ又はＢ」という句は、典型的には、「Ａ」又は「Ｂ」又は「Ａ及びＢ」の可能性を含むものと理解されよう。
【０１０２】
添付の特許請求の範囲に関して、当業者は、本明細書における引用した動作は一般に、任意の順序で実施され得ることを理解するであろう。また、様々な動作上の流れがシーケンスの形で提示されているが、様々な動作は、例示した以外の順序で行われてもよく、又は同時に行われてもよいことが理解されるべきである。かかる代替の順序付けの例は、文脈上他の意味に解釈すべき場合を除いて、重複、交互配置、割込み、再順序付け、増加的、予備的、追加的、同時、逆、又は他の異なる順序付けを含んでもよい。更に、「〜に応答する」、「〜に関連する」といった用語、又は他の過去時制の形容詞は、一般に、文脈上他の意味に解釈すべき場合を除き、かかる変化形を除外することが意図されるものではない。
【０１０３】
「一態様」、「態様」、「一形態」、又は「形態」と言う場合、その態様に関連して記載される特定の特徴部、構造、又は特性が少なくとも１つの態様に含まれるものであることを意味する点は特筆に値する。したがって、本明細書の全体を通じて様々な場所に見られる「一態様では」、「態様では」、「一形態では」、又は「形態では」なる語句は、必ずしも全てが同じ態様を指すものではない。更に、特定の特徴、構造、又は特性は、１つ又は２つ以上の態様において任意の好適な様態で組み合わせることができる。
【０１０４】
本明細書における実質的に全ての複数形及び／又は単数形の用語の使用に関して、当業者であれば、文脈及び／又は用法に則して複数形から単数形に、及び／又は単数形から複数形に読み替えることができる。様々な単数形／複数形の置き換えは、簡潔にするため、本明細書では明示的には記述されない。
【０１０５】
特定の場合には、コンポーネントが領域の外に位置している場合であっても、システム又は方法の使用がその領域で起こってもよい。例えば、分散コンピューティングの文脈において、システムの一部分が領域の外に位置している可能性があっても（例えば、継電器、サーバ、プロセッサ信号搬送媒体、送信コンピュータ、受信コンピュータなどが領域の外に位置している）、分散コンピューティングシステムの使用はその領域で起こってもよい。
【０１０６】
システム又は方法のコンポーネントが領域の外に位置し、かつ／又はその外で使用される場合であっても、システム又は方法の売買は同様にその領域で起こってもよい。更に、１つの領域で方法を実行するためにシステムの少なくとも一部分を実現することは、システムを別の領域で使用することを排除しない。
【０１０７】
全ての上述した米国特許、米国特許出願公開、米国特許出願、外国特許、外国特許出願、本明細書で引用された及び／若しくは任意の出願データシートに列挙された非特許刊行物又は任意のその他の開示文献は、本明細書と矛盾しない範囲で、参照により本明細書に組み込まれる。それ自体、また必要な範囲で、本明細書に明瞭に記載される開示内容は、参考により本明細書に組み込まれるあらゆる矛盾する記載に優先するものとする。現行の定義、見解、又は本明細書に記載される他の開示内容と矛盾する任意の内容、又はそれらの部分は本明細書に参考として組み込まれるものとするが、参照内容と現行の開示内容との間に矛盾が生じない範囲においてのみ、参照されるものとする。
【０１０８】
要約すると、本明細書に記載した構想を用いる結果として得られる多くの利益が記載されてきた。１つ又は２つ以上の形態の上述の記載は、例示及び説明を目的として提示されているものである。包括的であることも、開示された厳密な形態に限定することも意図されていない。上記の教示を鑑みて、修正又は変形が可能である。１つ又は２つ以上の形態は、原理及び実際の応用について例示し、それによって、様々な形態を様々な修正例と共に、想到される特定の用途に適するものとして当業者が利用できるようにするために、選択され記載されたものである。本明細書と共に提示される特許請求の範囲が全体的な範囲を定義することが意図される。
【０１０９】
本明細書に記載される主題の様々な態様は、以下の付番された節において説明される。
実施例１．超音波ホーンであって、近位フランジと、第１の直径を有し、近位フランジの遠位に配置された第１の円筒部と、第２の直径及び遠位端を含む第２の円筒部であって、第２の円筒部が、第１の円筒部の遠位の位置にあり、第２の直径が第１の直径よりも小さい、第２の円筒部と、第１円筒部と第２円筒部との間に配設されたテーパ部と、フランジと第２の円筒部の遠位端との間の位置において、ホーンの周りに配設された円筒体と、
を含む、超音波ホーンを含むことができる。
実施例２．円筒体が、第１の円筒部においてホーンの周りに配設されている、実施例１に記載の超音波ホーン。
実施例３．円筒体が、第１の円筒部の遠位部分においてホーンの周りに配設されている、実施例１又は２のいずれかに記載の超音波ホーン。
実施例４．円筒体が、テーパ部においてホーンの周りに配設されている、実施例１〜３のいずれかに記載の超音波ホーン。
実施例５．円筒体が、第２の円筒部においてホーンの周りに配設されている、実施例１〜４のいずれかに記載の超音波ホーン。
実施例６．円筒体が、第２の円筒部の近位部分においてホーンの周りに配設されている、実施例５に記載の超音波ホーン。
実施例７．テーパ部が、第１の曲率半径を有する第１のテーパ部と、第２の曲率半径を有する第２のテーパ部と、を含む、実施例１〜６のいずれかに記載の超音波ホーン。
実施例８．前記第１の曲率半径が、前記第２の曲率半径と等しい、実施例７に記載の超音波ホーン。
実施例９．第１の曲率半径が、第２の曲率半径と異なる、実施例７に記載の超音波ホーン。
実施例１０．テーパ部が、第１のテーパ部と第２のテーパ部との間の位置に配設された平坦部を更に含む、実施例７に記載の超音波ホーン。
実施例１１．円筒体が、第１のテーパ部と第２のテーパ部との間の位置に配設されている、実施例７に記載の超音波ホーン。
実施例１２．フランジと第２の円筒部の遠位端との間の位置において、ホーンの周りに配設された第２の円筒体を更に含む、実施例１〜１１のいずれかに記載の超音波ホーン。
実施例１３．超音波システムであって、エンドベルと、超音波ホーンであって、近位フランジと、第１の直径を有し、近位フランジの遠位に配置された第１の円筒部と、第２の直径及び遠位端を含む第２の円筒部であって、第２の円筒部が、第１の円筒部の遠位の位置にあり、第２の直径が第１の直径よりも小さい、第２の円筒部と、第１の円筒部と第２の円筒部との間に配設されたテーパ部と、フランジと第２の円筒部の遠位端との間の位置において、前記ホーンの周りに配設された円筒体と、を含む、超音波ホーンと、エンドベルと超音波ホーンとの間に配設されたトランスデューサ部と、トランスデューサ部を作動させるために、所定の周波数成分を有する電気信号を供給するように構成された超音波電源と、を含むことができる。
実施例１４．円筒体が、超音波システムの電気的特性を最適化するように構成された位置において、ホーンの周りに配設されている、実施例１３に記載の超音波システム。
実施例１５．円筒体が、電気信号に対するトランスデューサ部のインピーダンスを最小化するように構成された位置において、ホーンの周りに配設されている、実施例１４に記載の超音波システム。
実施例１６．円筒体が、電気信号に対するトランスデューサ部の位相余裕を最大化するように構成された位置において、ホーンの周りに配設されている、実施例１４に記載の超音波システム。
実施例１７．円筒体が、超音波システムの機械的特性を最適化するように構成された位置において、ホーンの周りに配設されている、実施例１３〜１６のいずれかに記載の超音波システム。
実施例１８．円筒体が、電気信号によるトランスデューサ部の作動時に第２の円筒部の遠位端の変位を最大化するように構成された位置において、ホーンの周りに配設されている、実施例１７に記載の超音波システム。
実施例１９．円筒体が、電気信号によるトランスデューサ部の作動時に第２の円筒部の遠位端の変位とトランスデューサ部の変位との比を最大化するように構成された位置において、ホーンの周りに配設されている、実施例１７に記載の超音波システム。
【０１１０】
〔実施の態様〕
（１）  超音波ホーンであって、
近位フランジと、
第１の直径を有し、前記近位フランジの遠位に配置された第１の円筒部と、
第２の直径及び遠位端を含む第２の円筒部であって、前記第２の円筒部が、前記第１の円筒部の遠位の位置にあり、前記第２の直径が前記第１の直径よりも小さい、第２の円筒部と、
前記第１の円筒部と前記第２の円筒部との間に配設されたテーパ部と、
前記フランジと前記第２の円筒部の前記遠位端との間の位置において、前記ホーンの周りに配設された円筒体と、
を含む、超音波ホーン。
（２）  前記円筒体が、前記第１の円筒部において前記ホーンの周りに配設されている、実施態様１に記載の超音波ホーン。
（３）  前記円筒体が、前記第１の円筒部の遠位部分において前記ホーンの周りに配設されている、実施態様２に記載の超音波ホーン。
（４）  前記円筒体が、前記テーパ部において前記ホーンの周りに配設されている、実施態様１に記載の超音波ホーン。
（５）  前記円筒体が、前記第２の円筒部において前記ホーンの周りに配設されている、実施態様１に記載の超音波ホーン。
【０１１１】
（６）  前記円筒体が、前記第２の円筒部の近位部分において前記ホーンの周りに配設されている、実施態様５に記載の超音波ホーン。
（７）  前記テーパ部が、第１の曲率半径を有する第１のテーパ部と、第２の曲率半径を有する第２のテーパ部とを含む、実施態様１に記載の超音波ホーン。
（８）  前記第１の曲率半径が、前記第２の曲率半径と等しい、実施態様７に記載の超音波ホーン。
（９）  前記第１の曲率半径が、前記第２の曲率半径と異なる、実施態様７に記載の超音波ホーン。
（１０）  前記テーパ部が、前記第１のテーパ部と前記第２のテーパ部との間の位置に配設された平坦部を更に含む、実施態様７に記載の超音波ホーン。
【０１１２】
（１１）  前記円筒体が、前記第１のテーパ部と前記第２のテーパ部との間の位置に配設されている、実施態様７に記載の超音波ホーン。
（１２）  前記フランジと前記第２の円筒部の前記遠位端との間の位置において、前記ホーンの周りに配設された第２の円筒体を更に含む、実施態様１に記載の超音波ホーン。
（１３）  超音波システムであって、
エンドベルと、
超音波ホーンであって、
近位フランジと、
第１の直径を有し、前記近位フランジの遠位に配置された第１の円筒部と、
第２の直径及び遠位端を含む第２の円筒部であって、前記第２の円筒部が、前記第１の円筒部の遠位の位置にあり、前記第２の直径が前記第１の直径よりも小さい、第２の円筒部と、
前記第１の円筒部と前記第２の円筒部との間に配設されたテーパ部と、
前記フランジと前記第２の円筒部の前記遠位端との間の位置において、前記ホーンの周りに配設された円筒体と、
を含む、超音波ホーンと、
前記エンドベルと前記超音波ホーンとの間に配設されたトランスデューサ部と、
前記トランスデューサ部を作動させるために、所定の周波数成分を有する電気信号を供給するように構成された超音波電源と、
を含む、超音波システム。
（１４）  前記円筒体が、前記超音波システムの電気的特性を最適化するように構成された位置において、前記ホーンの周りに配設されている、実施態様１３に記載の超音波システム。
（１５）  前記円筒体が、前記電気信号に対する前記トランスデューサ部のインピーダンスを最小化するように構成された位置において、前記ホーンの周りに配設されている、実施態様１４に記載の超音波システム。
【０１１３】
（１６）  前記円筒体が、前記電気信号に対する前記トランスデューサ部の位相余裕を最大化するように構成された位置において、前記ホーンの周りに配設されている、実施態様１４に記載の超音波システム。
（１７）  前記円筒体が、前記超音波システムの機械的特性を最適化するように構成された位置において、前記ホーンの周りに配設されている、実施態様１３に記載の超音波システム。
（１８）  前記円筒体が、前記電気信号による前記トランスデューサ部の作動時に前記第２の円筒部の前記遠位端の変位を最大化するように構成された位置において、前記ホーンの周りに配設されている、実施態様１７に記載の超音波システム。
（１９）  前記円筒体が、前記電気信号による前記トランスデューサ部の作動時に前記第２の円筒部の前記遠位端の変位と前記トランスデューサ部の変位との比を最大化するように構成された位置において、前記ホーンの周りに配設されている、実施態様１７に記載の超音波システム。
【図１】
2019535440.tif 000010
【図２Ａ】
2019535440.tif 000011
【図２Ｂ】
2019535440.tif 000012
【図２Ｃ】
2019535440.tif 000013
【図２Ｄ】
2019535440.tif 000014
【図３】
2019535440.tif 000015
【図４】
2019535440.tif 000016
【図５】
2019535440.tif 000017
【図６】
2019535440.tif 000018
【図７】
2019535440.tif 000019
【図８】
2019535440.tif 000020
【図９】
2019535440.tif 000021
【図１０】
2019535440.tif 000022
【図１１】
2019535440.tif 000023
【図１２】
2019535440.tif 000024
【図１３】
2019535440.tif 000025
【図１４】
2019535440.tif 000026
【図１５】
2019535440.tif 000027
【図１６】
2019535440.tif 000028
【図１７】
2019535440.tif 000029
【図１８】
2019535440.tif 000030
【図１９】
2019535440.tif 000031
【図２０】
2019535440.tif 000032
【図２１】
2019535440.tif 000033
【図２２】
2019535440.tif 000034
【国際調査報告】
2019535440.tif 000035
2019535440.tif 000036
2019535440.tif 000037